(57)【要約】  ユーザ機器がセミパーシステントスケジューリング（ＳＰＳ）で構成されるワイヤレス通信ネットワークまたはシステムの分野では、本発明の第１の態様は、ハンドオーバ後のユーザ機器の連続的なまたは中断されないＳＰＳを提供し、本発明の第２の態様は、シグナリングオーバーヘッドを削減するためにＳＰＳで構成されたユーザ機器に対する強化された制御シグナリングを提供する。
2019533964.tif 000002
【特許請求の範囲】
【請求項１】
ユーザ機器（ＵＥ）であって、
前記ユーザ機器（ＵＥ）は、ワイヤレス通信ネットワークのソースセル（１００１）のソース基地局（ｅＮＢ１）によって担当されるように構成され、前記ワイヤレス通信ネットワークは、複数のセル（１００１〜１００３）を含み、各セルは、基地局（ｅＮＢ１〜ｅＮＢ３）を有し、
前記ユーザ機器（ＵＥ）は、前記ソース基地局（ｅＮＢ１）によって提供されるセミパーシステントスケジューリング（ＳＰＳ）構成に従ってＳＰＳで構成され、
前記ユーザ機器（ＵＥ）は、前記ワイヤレス通信ネットワークの前記ソースセル（１００１）からターゲットセル（１００２）、すなわち前記ターゲットセル（１００２）に移動するときにＳＰＳを維持するように構成される、ユーザ機器（ＵＥ）。
【請求項２】
前記ソース基地局が、前記ソースセルおよび前記ターゲットセルを担当し、前記ＵＥが、前記ターゲットセルに対するＳＰＳ制御シグナリングのための新しい識別子を受信するように構成される、請求項１に記載のユーザ機器（ＵＥ）。
【請求項３】
前記ソース基地局（ｅＮＢ１）が、前記ソースセルを担当し、前記ターゲットセルが、ターゲット基地局（ｅＮＢ２）に担当される、請求項１または２に記載のユーザ機器（ＵＥ）。
【請求項４】
前記ユーザ機器（ＵＥ）が、前記ユーザ機器（ＵＥ）の前記ターゲット基地局（ｅＮＢ２）へのハンドオーバのトリガに応じて１つまたは複数のＳＰＳ構成を前記ターゲット基地局（ｅＮＢ２）に送信するように構成される、請求項３に記載のユーザ機器（ＵＥ）。
【請求項５】
ＳＰＳ制御シグナリングのための識別子を前記ターゲット基地局（ｅＮＢ２）に送信するように構成される、請求項３または４に記載のユーザ機器（ＵＥ）。
【請求項６】
前記ＳＰＳ構成が、フラグを含み、前記フラグがアクティブ化されると、前記ユーザ機器（ＵＥ）が、前記ＳＰＳのアクティブ化または前記ターゲット基地局（ｅＮＢ２）によるＳＰＳに対するリソースアサインメントのためのハンドオーバ後に一定時間待機するように構成される、請求項１〜５のいずれか一項に記載のユーザ機器（ＵＥ）。
【請求項７】
前記ターゲット基地局（ｅＮＢ２）による前記ＳＰＳのアクティブ化またはＳＰＳに対するリソースアサインメントが一定時間の間に実行されない場合、前記ユーザ機器（ＵＥ）が、前記ＳＰＳを一時停止するように構成される、請求項６に記載のユーザ機器（ＵＥ）。
【請求項８】
前記ユーザ機器（ＵＥ）が、次のＳＰＳパケットの時間を前記ターゲット基地局（ｅＮＢ２）にシグナリングするように構成される、請求項１〜７のいずれか一項に記載のユーザ機器（ＵＥ）。
【請求項９】
次のＳＰＳパケットの前記時間が、次のＳＰＳ間隔までの時間または絶対時間としてシグナリングされる、請求項８に記載のユーザ機器（ＵＥ）。
【請求項１０】
基地局であって、
前記基地局が、ワイヤレス通信ネットワークのソースセル（１００１）に関連付けられたソース基地局（ｅＮＢ１）であり、前記ワイヤレス通信ネットワークは、複数のセル（１００１〜１００３）を含み、各セルは、基地局（ｅＮＢ１〜ｅＮＢ３）を有し、
前記ソース基地局（ｅＮＢ１）は、前記ワイヤレス通信ネットワークの前記ソースセル（１００１）に位置するユーザ機器（ＵＥ）を担当し、セミパーシステントスケジューリング（ＳＰＳ）構成に従ってＳＰＳで前記ユーザ機器（ＵＥ）を構成するように構成され、
前記ソース基地局（ｅＮＢ１）は、前記ユーザ機器（ＵＥ）が前記ワイヤレス通信ネットワークの前記ソースセル（１００１）からターゲットセル（１００２）に移動するとき、前記ＳＰＳ構成を前記ターゲットセル（１００２）に関連付けられたターゲット基地局（ｅＮＢ２）に送信し、または前記ソース基地局が前記ソースセルおよび前記ターゲットセルを担当するためのものであるとき、ＳＰＳ制御シグナリングのための新しい識別子を前記ターゲットセルの前記ＵＥに送信するように構成される、基地局。
【請求項１１】
前記ソース基地局（ｅＮＢ１）が、前記ワイヤレス通信ネットワークの前記基地局（ｅＮＢ１〜ｅＮＢ３）を直接接続するインターフェースを介して、または前記ワイヤレス通信ネットワークのコアを介して前記ＳＰＳ構成を前記ターゲット基地局（ｅＮＢ２）に送信するように構成される、請求項１０に記載の基地局。
【請求項１２】
前記ソース基地局（ｅＮＢ１）が、前記ユーザ機器（ＵＥ）に対するＳＰＳ制御シグナリングのための識別子を前記ターゲット基地局（ｅＮＢ２）に送信するように構成される、請求項１０または１１に記載の基地局。
【請求項１３】
前記ソース基地局（ｅＮＢ１）が、前記ターゲット基地局（ｅＮＢ２）から前記ユーザ機器（ＵＳ）に対するＳＰＳ制御シグナリングのための識別子を要求し、前記ＳＰＳ構成の更新を生成し、かつハンドオーバが完了する前に前記更新されたＳＰＳ構成を前記ユーザ機器（ＵＥ）に送信するように構成される、請求項１０〜１２のいずれか一項に記載の基地局。
【請求項１４】
前記ソース基地局（ｅｎＢ１）が、次のＳＰＳパケットの時間を前記ターゲット基地局（ｅＮＢ２）にシグナリングするように構成される、請求項１０〜１３のいずれか一項に記載の基地局。
【請求項１５】
次のＳＰＳパケットの前記時間が、次のＳＰＳ間隔までの時間または絶対時間としてシグナリングされる、請求項１４に記載の基地局。
【請求項１６】
基地局であって、
前記基地局は、ワイヤレス通信ネットワークのターゲットセル（１００２）に関連付けられたターゲット基地局（ｅＮＢ２）であり、前記ワイヤレス通信ネットワークは、複数のセル（１００１〜１００３）を含み、各セルは、基地局（ｅＮＢ１〜ｅＮＢ３）を有し、
前記ターゲット基地局（ｅＮＢ２）は、前記ユーザ機器（ＵＥ）が前記ワイヤレス通信ネットワークのソースセル（１００１）から前記ターゲットセル（１００２）に移動するとき、前記ソースセル（１００１）に関連付けられ、セミパーシステントスケジューリング（ＳＰＳ）構成に従ってＳＰＳで構成されたユーザ機器（ＵＥ）を現在担当しているソース基地局（ｅＮＢ１）から前記ＳＰＳ構成を受信するように構成され、
前記ターゲット基地局（ｅＮＢ２）は、前記受信したＳＰＳ構成に従ってＳＰＳを使用して前記ターゲットセル（１００２）に位置する前記ユーザ機器（ＵＥ）を担当するように構成される、基地局。
【請求項１７】
前記ターゲット基地局（ｅＮＢ２）が、前記ユーザ機器（ＵＥ）のＳＰＳをアクティブ化するアクティブ化信号を前記ユーザ機器（ＵＥ）に送信するように構成される、請求項１６に記載の基地局。
【請求項１８】
前記ソースセル（１００１）で使用される前記ユーザ機器に対するＳＰＳ制御シグナリングのための識別子が前記ターゲットセル（１００２）で占有または使用されるとき、前記ソース基地局（ｅＮＢ１）が、前記ユーザ機器（ＵＥ）に対するＳＰＳ制御シグナリングのための前記識別子を更新するように構成される、請求項１０〜１７のいずれか一項に記載の基地局。
【請求項１９】
前記基地局（ｅＮＢ１〜ｅＮＢ３）が、前記ワイヤレス通信ネットワークの前記基地局（ｅＮＢ１〜ｅＮＢ３）を直接接続するインターフェースを介して、または前記ワイヤレス通信ネットワークのコアを介して前記ＳＰＳ構成と通信するように構成される、請求項１０〜１８のいずれか一項に記載の基地局。
【請求項２０】
前記基地局（ｅＮＢ１〜ｅＮＢ３）が、前記ユーザ機器（ＵＥ）のハンドオーバに応じて前記ＳＰＳ構成と通信するように構成され、前記ハンドオーバが、前記ネットワークの前記ワイヤレス通信ネットワークの前記コア（ＭＭＥ）によって、または前記ユーザ機器（ＵＥ）によって開始される、請求項１０〜１９のいずれか一項に記載の基地局。
【請求項２１】
前記基地局（ｅＮＢ１〜ｅＮＢ３）が、マクロ基地局またはスモールセル基地局である、請求項１０〜２０のいずれか一項に記載の基地局。
【請求項２２】
請求項１〜９のいずれか一項に記載のユーザ機器（ＵＥ）と、
請求項１０〜２１のいずれか一項に記載の複数の基地局（ｅＮＢ１〜ｅＮＢ３）と
を備える、ワイヤレス通信ネットワーク。
【請求項２３】
前記ワイヤレス通信ネットワークが、セルラネットワーク、ワイヤレスローカルエリアネットワークまたはワイヤレスセンサシステムを備える、請求項２２に記載のワイヤレス通信ネットワーク。
【請求項２４】
前記ユーザ機器（ＵＥ）が、移動端末、車両用デバイスまたはＩｏＴデバイスである、請求項２２または２３に記載のワイヤレス通信ネットワーク。
【請求項２５】
ＩＦＦＴ（逆高速フーリエ変換）ベースの信号を使用し、前記ＩＦＦＴベースの信号が、ＣＰを有するＯＦＤＭ、ＣＰを有するＤＦＴ−ｓ−ＯＦＤＭ、ＣＰを有さないＩＦＦＴベースの波形、ｆ−ＯＦＤＭ、ＦＢＭＣ、ＧＦＤＭまたはＵＦＭＣを含む、請求項２２〜２４のいずれか一項に記載のワイヤレス通信ネットワーク。
【請求項２６】
ワイヤレス通信ネットワークのソースセル（１００１）のソース基地局（ｅＮＢ１）によってユーザ機器（ＵＥ）を担当することであって、前記ワイヤレス通信ネットワークは、複数のセル（１００１〜１００３）を含み、各セルは、基地局（ｅＮＢ１〜ｅＮＢ３）を有し、前記ユーザ機器（ＵＥ）は、前記ソース基地局（ｅＮＢ１）によって提供されるセミパーシステントスケジューリング（ＳＰＳ）構成に従ってＳＰＳで構成されることと、
前記ユーザ機器（ＵＥ）が前記ワイヤレス通信ネットワークの前記ソースセル（１００１）からターゲットセル（１００２）、すなわち前記ターゲットセル（１００２）に移動するときに前記ユーザ機器（ＵＥ）のＳＰＳを維持することと
を含む、方法。
【請求項２７】
ワイヤレス通信ネットワークのソースセル（１００１）に関連付けられたソース基地局（ｅＮＢ１）によってユーザ機器（ＵＥ）を担当することであって、前記ワイヤレス通信ネットワークは、複数のセル（１００１〜１００３）を含み、各セルは、基地局（ｅＮＢ１〜ｅＮＢ３）を有し、前記ユーザ機器（ＵＥ）は、前記ワイヤレス通信ネットワークの前記ソースセル（１００１）に位置することと、
セミパーシステントスケジューリング（ＳＰＳ）構成に従ってＳＰＳで前記ユーザ機器（ＵＥ）を構成することと、
前記ユーザ機器（ＵＥ）が前記ワイヤレス通信ネットワークの前記ソースセル（１００１）から前記ターゲットセル（１００２）に移動するとき、前記ＳＰＳ構成を前記ソース基地局（ｅＮＢ１）からターゲットセル（１００２）に関連付けられたターゲット基地局（ｅＮＢ２）に送信するか、または前記ソース基地局が前記ソースセルおよび前記ターゲットセルを担当するためのものであるとき、ＳＰＳ制御シグナリングのための新しい識別子を前記ターゲットセルの前記ＵＥに送信することと
を含む、方法。
【請求項２８】
ワイヤレス通信ネットワークのターゲットセル（１００２）に関連付けられたターゲット基地局（ｅＮＢ２）でセミパーシステントスケジューリング（ＳＰＳ）構成を受信することであって、前記ワイヤレス通信ネットワークは、複数のセル（１００１〜１００３）を含み、各セルは、基地局（ｅＮＢ１〜ｅＮＢ３）を有し、前記ＳＰＳ構成は、ソースセル（１００１）に関連付けられ、前記ＳＰＳ構成に従ってＳＰＳで構成されたユーザ機器（ＵＥ）を現在担当しているソース基地局（ｅＮＢ１）から受信され、前記ＳＰＳ構成は、前記ワイヤレス通信ネットワークの前記ソースセル（１００１）から前記ターゲットセル（１００２）に移動する前記ユーザ機器（ＵＥ）に応じて受信されることと、
前記受信されたＳＰＳ構成に従ってＳＰＳを使用して前記ターゲット基地局（ｅＮＢ２）によって前記ターゲットセル（１００２）に位置する前記ユーザ機器（ＵＥ）を担当することと
を含む、方法。
【請求項２９】
コンピュータで実施されたときに請求項２６〜２８のいずれか一項に記載の方法を行う命令を記憶するコンピュータ可読媒体を含む、非一時的コンピュータプログラム製品。
【請求項３０】
ユーザ機器（ＵＥ）であって、
前記ユーザ機器（ＵＥ）は、セミパーシステントスケジューリング（ＳＰＳ）構成に従ってＳＰＳで構成され、
前記ユーザ機器（ＵＥ）は、無線信号を受信して処理するように構成され、前記無線信号は、制御メッセージ（ＤＣＩ）を含み、前記制御メッセージ（ＤＣＩ）は、前記ＳＰＳ構成のアクティブ化をシグナリングし、前記ＳＰＳ構成に割り当てられるリソースをシグナリングする、ユーザ機器（ＵＥ）。
【請求項３１】
ユーザ機器（ＵＥ）であって、
前記ユーザ機器（ＵＥ）は、複数のセミパーシステントスケジューリング（ＳＰＳ）構成に従ってＳＰＳで構成され、
前記ユーザ機器（ＵＥ）は、無線信号を受信して処理するように構成され、前記無線信号は、制御メッセージ（ＤＣＩ）を含み、前記制御メッセージ（ＤＣＩ）は、前記複数のＳＰＳ構成のアクティブ化をシグナリングする、ユーザ機器（ＵＥ）。
【請求項３２】
前記制御メッセージ（ＤＣＩ）が、前記複数のＳＰＳ構成に割り当てられるリソースをさらにシグナリングする、請求項３１に記載のユーザ機器（ＵＥ）。
【請求項３３】
前記制御メッセージ（ＤＣＩ）が、前記複数のＳＰＳ構成に使用されるリソースのブロックを示す、請求項３２に記載のユーザ機器（ＵＥ）。
【請求項３４】
前記制御メッセージ（ＤＣＩ）が、前記ＳＰＳ構成の１つまたは複数の前記リソースを前記ブロックの前記リソースに割り当てる、請求項３３に記載のユーザ機器（ＵＥ）。
【請求項３５】
ＳＰＳ構成に割り当てられない前記ブロックのリソースが、別の状況ではスケジューリングされる、請求項３４に記載のユーザ機器（ＵＥ）。
【請求項３６】
リソースの前記ブロックが、データ信号ブロックの所定の数の連続的または非連続的なリソース要素を含み、前記データ信号ブロックが、時間ドメインのいくつかのシンボルと、周波数ドメインのいくつかのサブキャリアとを有し、１つのリソース要素が、１つのシンボルと、１つのサブキャリアとで構成される、請求項３０〜３５のいずれか一項に記載のユーザ機器（ＵＥ）。
【請求項３７】
前記制御メッセージ（ＤＣＩ）が、前記１つまたは複数のＳＰＳ構成をアクティブ化するため、および／または前記１つまたは複数のＳＰＳ構成のリソースを割り当てるための単一の制御メッセージ（ＤＣＩ）である、請求項３０〜３６のいずれか一項に記載のユーザ機器（ＵＥ）。
【請求項３８】
前記単一の制御メッセージ（ＤＣＩ）が、ダウンリンクＳＰＳ構成またはアップリンクＳＰＳ構成に使用される、請求項３０〜３７のいずれか一項に記載のユーザ機器（ＵＥ）。
【請求項３９】
前記ユーザ機器（ＵＥ）が、セミパーシステントスケジューリング（ＳＰＳ）構成の１つまたは複数に従ってＳＰＳで構成され、ＳＰＳ構成のグループが、２つ以上のＳＰＳ構成を含み、前記制御メッセージ（ＤＣＩ）が、ＳＰＳ構成のグループの前記ＳＰＳ構成をアドレス指定する、請求項３０〜３８のいずれか一項に記載のユーザ機器（ＵＥ）。
【請求項４０】
ユーザ機器（ＵＥ）であって、
前記ユーザ機器（ＵＥ）は、セミパーシステントスケジューリング（ＳＰＳ）構成の１つまたは複数のグループに従ってＳＰＳで構成され、ＳＰＳ構成のグループは、２つ以上のＳＰＳ構成を含み、
前記ユーザ機器（ＵＥ）は、無線信号を受信して処理するように構成され、前記無線信号は、制御メッセージ（ＤＣＩ）を含み、前記制御メッセージ（ＤＣＩ）は、前記ＳＰＳ構成の１つまたは複数の前記グループの前記ＳＰＳ構成をアドレス指定する、ユーザ機器（ＵＥ）。
【請求項４１】
さらなる制御メッセージが、受信され、前記さらなる制御メッセージが、ＳＰＳ構成をグループに／から追加／削除する、請求項４０に記載のユーザ機器（ＵＥ）。
【請求項４２】
基地局であって、
前記基地局は、セミパーシステントスケジューリング（ＳＰＳ）構成に従ってＳＰＳでユーザ機器（ＵＥ）を構成するように構成され、
前記基地局は、無線信号を前記ユーザ機器（ＵＥ）に送信するように構成され、前記無線信号は、制御メッセージ（ＤＣＩ）を含み、前記制御メッセージ（ＤＣＩ）は、前記ＳＰＳ構成のアクティブ化をシグナリングし、前記ＳＰＳ構成に割り当てられるリソースをシグナリングする、基地局。
【請求項４３】
基地局であって、
前記基地局は、複数のセミパーシステントスケジューリング（ＳＰＳ）構成に従ってＳＰＳでユーザ機器（ＵＥ）を構成するように構成され、
前記基地局は、無線信号を前記ユーザ機器（ＵＥ）に送信するように構成され、前記無線信号は、制御メッセージ（ＤＣＩ）を含み、前記制御メッセージ（ＤＣＩ）は、前記複数のＳＰＳ構成のアクティブ化をシグナリングする、基地局。
【請求項４４】
前記制御メッセージ（ＤＣＩ）が、前記複数のＳＰＳ構成に割り当てられるリソースをさらにシグナリングする、請求項４３に記載の基地局。
【請求項４５】
基地局であって、
前記基地局は、セミパーシステントスケジューリング（ＳＰＳ）構成の１つまたは複数のグループに従ってＳＰＳでユーザ機器（ＵＥ）を構成するように構成され、ＳＰＳ構成のグループは、２つ以上のＳＰＳ構成を含み、
前記基地局は、無線信号を前記ユーザ機器（ＵＥ）に送信するように構成され、前記無線信号は、制御メッセージ（ＤＣＩ）を含み、前記制御メッセージ（ＤＣＩ）は、ＳＰＳ構成の１つまたは複数の前記グループの前記ＳＰＳ構成をアドレス指定する、基地局。
【請求項４６】
セミパーシステントスケジューリング（ＳＰＳ）構成に従ってＳＰＳで基地局によって構成されたユーザ機器（ＵＥ）に対する制御メッセージ
を含み、
前記制御メッセージ（ＤＣＩ）は、前記ＳＰＳ構成のアクティブ化をシグナリングし、前記ＳＰＳ構成に割り当てられるリソースをシグナリングする、データ信号。
【請求項４７】
複数のセミパーシステントスケジューリング（ＳＰＳ）構成に従ってＳＰＳで基地局によって構成されたユーザ機器（ＵＥ）に対する制御メッセージ
を含み、
前記制御メッセージ（ＤＣＩ）は、前記複数のＳＰＳ構成のアクティブ化をシグナリングする、データ信号。
【請求項４８】
前記制御メッセージ（ＤＣＩ）が、前記複数のＳＰＳ構成に割り当てられるリソースをさらにシグナリングする、請求項４７に記載のデータ信号。
【請求項４９】
セミパーシステントスケジューリング（ＳＰＳ）構成の１つまたは複数のグループに従ってＳＰＳで基地局によって構成されたユーザ機器（ＵＥ）に対する制御メッセージを含み、ＳＰＳ構成のグループは、２つ以上のＳＰＳ構成を含み、
前記制御メッセージ（ＤＣＩ）は、ＳＰＳ構成の１つまたは複数の前記グループの前記ＳＰＳ構成をアドレス指定する、データ信号。
【請求項５０】
ユーザ機器（ＵＥ）によって、制御メッセージ（ＤＣＩ）を含む無線信号を受信して処理すること
を含み、
前記ユーザ機器（ＵＥ）は、セミパーシステントスケジューリング（ＳＰＳ）構成に従ってＳＰＳで構成され、
前記制御メッセージ（ＤＣＩ）は、前記ＳＰＳ構成のアクティブ化をシグナリングし、前記ＳＰＳ構成に割り当てられるリソースをシグナリングする、方法。
【請求項５１】
ユーザ機器（ＵＥ）によって、制御メッセージ（ＤＣＩ）を含む無線信号を受信して処理すること
を含み、
前記ユーザ機器（ＵＥ）は、複数のセミパーシステントスケジューリング（ＳＰＳ）構成に従ってＳＰＳで構成され、
前記制御メッセージ（ＤＣＩ）は、前記複数のＳＰＳ構成のアクティブ化をシグナリングする、方法。
【請求項５２】
前記制御メッセージ（ＤＣＩ）が、前記複数のＳＰＳ構成に割り当てられるリソースをさらにシグナリングする、請求項５１に記載の方法。
【請求項５３】
ユーザ機器（ＵＥ）によって、制御メッセージ（ＤＣＩ）を含む無線信号を受信して処理すること
を含み、
前記ユーザ機器（ＵＥ）は、セミパーシステントスケジューリング（ＳＰＳ）構成の１つまたは複数のグループに従ってＳＰＳで構成され、ＳＰＳ構成のグループは、２つ以上のＳＰＳ構成を含み、
前記制御メッセージ（ＤＣＩ）は、ＳＰＳ構成の１つまたは複数の前記グループの前記ＳＰＳ構成をアドレス指定する、方法。
【請求項５４】
基地局によって、セミパーシステントスケジューリング（ＳＰＳ）構成に従ってＳＰＳでユーザ機器（ＵＥ）を構成することと、
前記基地局によって、無線信号を前記ユーザ機器（ＵＥ）に送信することと
を含み、
前記無線信号は、制御メッセージ（ＤＣＩ）を含み、前記制御メッセージ（ＤＣＩ）は、前記ＳＰＳ構成のアクティブ化をシグナリングし、前記ＳＰＳ構成に割り当てられるリソースをシグナリングする、方法。
【請求項５５】
基地局によって、複数のセミパーシステントスケジューリング（ＳＰＳ）構成に従ってＳＰＳでユーザ機器（ＵＥ）を構成することと、
前記基地局によって、無線信号を前記ユーザ機器（ＵＥ）に送信することとを含み、
前記無線信号は、制御メッセージ（ＤＣＩ）を含み、前記制御メッセージ（ＤＣＩ）は、前記複数のＳＰＳ構成のアクティブ化をシグナリングする、方法。
【請求項５６】
前記制御メッセージ（ＤＣＩ）が、前記複数のＳＰＳ構成に割り当てられるリソースをさらにシグナリングする、請求項５５に記載の方法。
【請求項５７】
基地局によって、セミパーシステントスケジューリング（ＳＰＳ）構成の１つまたは複数のグループに従ってＳＰＳでユーザ機器（ＵＥ）を構成することであって、ＳＰＳ構成のグループは、２つ以上のＳＰＳ構成を含むことと、
前記基地局によって、無線信号をユーザ機器（ＵＥ）に送信することと
を含み、
前記無線信号は、制御メッセージ（ＤＣＩ）を含み、前記制御メッセージ（ＤＣＩ）は、ＳＰＳ構成の１つまたは複数の前記グループの前記ＳＰＳ構成をアドレス指定する、方法。
【請求項５８】
コンピュータで実施されたときに請求項５０〜５７のいずれか一項に記載の方法を行う命令を記憶するコンピュータ可読媒体を含む、非一時的コンピュータプログラム製品。
【発明の詳細な説明】
【技術分野】
【０００１】
本発明は、ワイヤレス通信ネットワークまたはシステムの分野に関し、より具体的には、ユーザ機器がセミパーシステントスケジューリング（ＳＰＳ）で構成されるワイヤレス通信ネットワークに関する。本発明の手法の第１の態様は、ハンドオーバ後のユーザ機器の連続的なまたは中断されないＳＰＳを提供する。本発明の手法の第２の態様は、シグナリングオーバーヘッドを削減するためにＳＰＳで構成されたユーザ機器に対する強化された制御シグナリングを提供する。
【背景技術】
【０００２】
図１は、それぞれのセル１００１〜１００５によって概略的に表される基地局を囲む特定のエリアを各々が担当する、複数の基地局ｅＮＢ１〜ｅＮＢ５を含む、ワイヤレス通信ネットワークまたはワイヤレス通信システムなどのネットワークインフラストラクチャの一例の概略図である。基地局は、セル内のユーザを担当するために設けられる。ユーザは、固定デバイスまたは移動デバイスであってもよい。さらに、ワイヤレス通信システムは、基地局またはユーザに接続するＩｏＴデバイスによってアクセスされ得る。ＩｏＴデバイスは、電子装置、ソフトウェア、センサ、アクチュエータなどを内蔵した物理デバイス、車両、建物および他のアイテム、ならびにこれらのデバイスが既存のネットワークインフラストラクチャにわたってデータを収集および交換することを可能にするネットワーク接続性を含み得る。図１は、５つのセルのみの例示的な図を示すが、ワイヤレス通信システムは、そのようなセルをさらに含んでもよい。図１は、セル１００２にあり、基地局ｅＮＢ２によって担当されるユーザ機器（ＵＥ）とも呼ばれる２人のユーザＵＥ１およびＵＥ２を示す。基地局ｅＮＢ４によって担当される別のユーザＵＥ３は、セル１００４に示されている。矢印１０２１、１０２２および１０２３は、データをユーザＵＥ１、ＵＥ２およびＵＥ３から基地局ｅＮＢ２、ｅＮＢ４に送信するための、またはデータを基地局ｅＮＢ２、ｅＮＢ４からユーザＵＥ１、ＵＥ２、ＵＥ３に送信するためのアップリンク／ダウンリンク接続を概略的に表す。さらに、図１は、セル１００４の２つのＩｏＴデバイス１０４１および１０４２を示し、これらは固定または移動デバイスであり得る。ＩｏＴデバイス１０４１は、矢印１０６１によって概略的に表されるようにデータを受信および送信するために基地局ｅＮＢ４を介してワイヤレス通信システムにアクセスする。ＩｏＴデバイス１０４２は、矢印１０６２によって概略的に表されるようにユーザＵＥ３を介してワイヤレス通信システムにアクセスする。
【０００３】
ワイヤレス通信システムは、直交周波数分割多重化（ＯＦＤＭ）システム、ＬＴＥ規格によって定義された直交周波数分割多元接続（ＯＦＤＭＡ）システム、またはＣＰを有するまたは有さない任意の他のＩＦＦＴベースの信号、例えばＤＦＴ−ｓ−ＯＦＤＭのような周波数分割多重化に基づく任意のシングルトーンまたはマルチキャリアシステムとすることができる。多元接続のための非直交波形のような他の波形、例えばフィルタバンクマルチキャリア（ＦＢＭＣ）、一般化周波数分割多重化（ＧＦＤＭ）またはユニバーサルフィルタマルチキャリア（ＵＦＭＣ）が使用されてもよい。
【０００４】
データ送信のために、例えば、ＬＴＥ規格によって定義されるような、物理リソースグリッドが使用され得る。物理リソースグリッドは、様々な物理チャネルおよび物理信号がマッピングされるリソース要素のセットを含むことができる。例えば、ＬＴＥ規格によれば、物理チャネルは、ダウンリンクペイロードデータとも呼ばれるユーザ固有のデータを搬送する物理ダウンリンク共有チャネル（ＰＤＳＣＨ）、例えばマスタ情報ブロックを搬送する物理ブロードキャストチャネル（ＰＢＣＨ）、例えばダウンリンク制御情報（ＤＣＩ）を搬送する物理ダウンリンク制御チャネル（ＰＤＣＣＨ）などを含むことができる。物理信号は、基準信号（ＲＳ）、同期信号などを含むことができる。ＬＴＥリソースグリッドは、周波数ドメインに所与の帯域幅を有する時間ドメインにおいて１０ミリ秒のフレームを含む。フレームは、１ミリ秒の長さの１０個のサブフレームを有し、各サブフレームは、サイクリックプレフィックス（ＣＰ）の長さに応じて６または７つのＯＦＤＭシンボルの２つのスロットを含む。ＰＤＣＣＨは、スロット当たりの事前定義された数のＯＦＤＭシンボルによって定義され得る。例えば、最初の３つのシンボルのリソース要素は、ＰＤＣＣＨにマッピングされてもよく、すなわち、ＰＤＣＣＨのサイズは制限されている。その結果、１つのサブフレームで搬送され得るＤＣＩの数も制限される。これは、動的スケジューリングを使用するときにサブフレームの割り当てを受信することができるＵＥの数を制限することがある。
【０００５】
図２は、異なる選択されたＴｘアンテナポートに対して２つのアンテナポートを有するＬＴＥ  ＯＦＤＭＡベースのサブフレームの一例を示す。サブフレームは、各々がサブフレームの１つのスロットと、周波数ドメインの１２個のサブキャリアとで構成される２つのリソースブロック（ＲＢ）を含む。周波数ドメインのサブキャリアは、サブキャリア０〜サブキャリア１１として示され、時間ドメインでは、各スロットは、７つのＯＦＤＭシンボル、例えばスロット０のＯＦＤＭシンボル０〜６と、スロット１のＯＦＤＭシンボル７〜１３とを含む。リソース要素は、時間ドメインの１つのシンボルと、周波数ドメインの１つのサブキャリアとで構成される。ホワイトボックス１０は、ペイロード領域とも呼ばれる、ペイロードまたはユーザデータを搬送するＰＤＳＣＨに割り当てられたリソース要素を表す。制御領域とも呼ばれる（非ペイロードまたは非ユーザデータを搬送する）物理制御チャネルのリソース要素は、ハッチングされたボックス１２によって表される。例によれば、リソース要素１２は、ＰＤＣＣＨ、物理制御フォーマットインジケータチャネル（ＰＣＦＩＣＨ）、および物理ハイブリッドＡＲＱインジケータチャネル（ＰＨＩＣＨ）に割り当てられてもよい。クロスハッチングされたボックス１４は、チャネル推定に使用され得るＲＳに割り当てられるリソース要素を表す。ブラックボックス１６は、別のアンテナポートのＲＳに対応し得る現在のアンテナポートの未使用のリソースを表す。
【０００６】
物理制御チャネルおよび物理基準信号に割り当てられたリソース要素１２、１４、１６は、経時的に均等に分配されない。より具体的には、サブフレームのスロット０では、シンボル０およびシンボル１に関連付けられたリソース要素は、物理制御チャネルまたは物理基準信号に割り当てられ、シンボル０および１のリソース要素は、ペイロードデータに割り当てられない。サブフレームのスロット０のシンボル４に関連付けられたリソース要素、ならびにスロット１のシンボル７および１１に関連付けられたリソース要素は、物理制御チャネルまたは物理基準信号に部分的に割り当てられる。図２に示すホワイトリソース要素は、ペイロードデータまたはユーザデータに関連付けられたシンボルを搬送することができ、シンボル２、３、５および６のスロット０では、すべてのリソース要素１０をペイロードデータに割り当てることができ、一方でスロット０のシンボル４のペイロードデータに割り当てられるリソース要素１０は少なく、シンボル０および１のペイロードデータに割り当てられるリソース要素はない。スロット１では、シンボル８、９、１０、１２および１３に関連付けられたリソース要素は、ペイロードデータにすべて割り当てられ、シンボル７および１１では、ペイロードデータに割り当てられるリソース要素は少ない。
【０００７】
サブフレームの持続時間は、１ミリ秒であり、ＬＴＥ規格によれば、ＴＴＩは、１ミリ秒である。図２に示すリソースグリッド構造を使用してデータを送信するとき、受信機、例えば移動端末または移動ユーザは、１ミリ秒で図２に示すリソース要素を受信する。リソース要素によって含まれるまたは定義される情報は、処理することができ、各送信には、すなわち１ミリ秒の長さを有する各ＴＴＩには、一定数のペイロードデータが受信される。送信方式は、受信機が最初に１ミリ秒の持続時間を有する送信を受信し、次に送信が完了すると、何らかのデータが受信機に送られたかどうかを確認するために制御情報を処理するので、１ミリ秒を超えるエンドツーエンドレイテンシをもたらし、それが当てはまる場合、受信機は、１ミリ秒の長さのデータチャネルを復号する。したがって、送信の持続時間および処理時間は、合計で１ミリ秒を超える期間になる。
【０００８】
上で説明したように、ＰＤＣＣＨは、事前定義された数のＯＦＤＭシンボルによって定義され、すなわち、そこではＰＤＣＣＨのサイズが制限され、その結果、１ミリ秒の長さを有する１サブフレームで搬送され得るＤＣＩの数も制限される。これは、動的スケジューリングを使用するときにサブフレームの割り当てを受信することができるＵＥの数を制限することがある。ＰＤＣＣＨのサイズを増やすことなく、より多くの割り当てをサポートするために、セミパーシステントスケジューリング（ＳＰＳ）を使用することができる。ＳＰＳを使用するとき、ＵＥは、割り当てＩＤとも呼ばれるＳＰＳ  Ｃ−ＲＮＴＩ（無線ネットワーク一時識別子）、および周期性を用いて送信機または基地局によって事前構成される。事前構成されると、ＵＥは、関連付けられたＳＰＳ  Ｃ−ＲＮＴＩに基づいてデータのダウンリンクおよび／またはアップリンク送信の割り当てを定義するさらなるメッセージを受信することができる。この割り当ては、事前構成された周期性（ＳＰＳ間隔）に従って繰り返される。言い換えれば、割り当てられると、リソースは、各サブフレームにおいてスケジューリングを実行する必要なくＵＥによってデータを受信／送信するために繰り返し使用することができる。無線リンク条件が変化した場合、基地局は、リソースを再割り当てするためのリソース割り当てメッセージをＵＥに提供することができる。
【０００９】
ＳＰＳ方式は、例えば、参考文献［１］および［２］に記載されている。ＳＰＳは、パーシステントスケジューリングと動的スケジューリングとの組合せである。パーシステントスケジューリングは、トランスポートブロックの送信を目的とした周期的なリソースの割り当てに使用され、動的スケジューリングは、潜在的に必要とされる増分冗長性、すなわちハイブリッド自動再送要求（ＨＡＲＱ）再送信に使用される。ＳＰＳは、例えば、接続がデータを転送する必要があるときに、ダウンリンク（ＤＬ）およびアップリンク（ＵＬ）リソース割り当てパターンをシグナリングすることから生じる制御情報オーバーヘッドの削減を可能にする。ＳＰＳは、ＦＤＤ（周波数分割複信）とＴＤＤ（時分割複信）の両方のＤＬとＵＬの両方に使用され得る。参考文献［３］には、ＳＰＳの初期構成およびそれに続くアクティブ化／解放が記載されている。基地局は、いつでもＳＰＳを実行するためにＵＥを構成することができる。典型的には、これは、ＲＲＣ（無線リソース制御）によるサービスの専用ベアラ確立時に行われる。ＳＰＳは、「ＳＰＳ−Ｃｏｎｆｉｇ」とも呼ばれる構成メッセージを使用して、いつでもＲＲＣによって構成／再構成することができる。ＳＰＳ−Ｃｏｎｆｉｇメッセージは、ＳＰＳ  Ｃ−ＲＮＴＩならびにダウンリンクおよびアップリンクに関する構成情報を含み得る。構成メッセージは、ＵＥがＳＰＳをスタートすることを可能にせず、むしろ、ＵＥを担当する基地局は、ＵＥがＳＰＳ許可／アサインメントを使用することを可能にするようにＳＰＳを明示的にアクティブ化しなければならない。
【００１０】
ＵＥがＵＥに関連付けられたＳＰＳ  Ｃ−ＲＮＴＩを含むＳＰＳ−Ｃｏｎｆｉｇメッセージを受信すると、ＵＥは、ｅＮＢがＤＣＩメッセージを使用していつでもＳＰＳをアクティブ化／解放することができるので、サブフレーム毎にＳＰＳ  Ｃ−ＲＮＴＩによってスクランブルされたＣＲＣ（巡回冗長検査）を用いてＰＤＣＣＨを復号するように上位層によって構成され得る。ＳＰＳアクティブ化／解放メッセージは、参考文献［４］に詳細に説明されているように、ＵＥによって検証される。
【００１１】
有効なアクティブ化の後、ＵＥは、ＳＰＳサブフレーム毎に、すなわち、ＳＰＳ間隔によって定義されるようなサブフレーム毎にＳＰＳ検証済みＤＣＩ制御情報をチェックするために、ＳＰＳ  Ｃ−ＲＮＴＩによってスクランブルされたＣＲＣのＰＤＣＣＨを復号し、ＵＥは、起こり得る変更、例えばアサインされたリソース、送信モード、ＭＣＳ（変調および符号化方式）などにおける変更に関する情報を探す。サブフレーム内のリソースブロックのアサインメントは、基地局の選択に左右され、ＵＥがＳＰＳ検証済みＤＣＩを全く受信しない場合、リソースブロックアサインメント、ならびに送信モードおよびＭＣＳなどの他の送信パラメータは、現在の構成のままであり、それによって制御シグナリングオーバーヘッドを回避する。
【００１２】
ＳＰＳは、周期的なリソース要求を伴うサービスに使用され、異なるアプリケーションは、ＳＰＳ間隔パラメータによって構成され得るトランスポートブロックの異なる到着時間を必要とし得る。例えば、Ｖｏｉｃｅ  ｏｖｅｒ  ＩＰ（ＶｏＩＰ）は、データが２０ミリ秒の周期的なバーストで到着するアプリケーションである。それ以外にも、前述したように、ミッションクリティカルでありレイテンシ制約のある通信サービス、例えば、より短い期間内、例えば、１０ミリ秒未満からマイクロ秒レベル以下までの期間内に事前構成されたリソースを必要とする、機械型通信および車両通信におけるようなＵＲＬＬＣ（超高信頼性低レイテンシ通信）サービスがある。ＳＰＳをそのようなアプリケーションまたはサービスに適用することは、頻繁な動的構成更新と比較した場合、可能な限り少ないシグナリングオーバーヘッドをもたらし、本発明の実施形態は、そのようなレイテンシ制約のあるアプリケーションに対するＳＰＳに対応する。
【００１３】
さらに、前述のレイテンシ制約のあるアプリケーションのために、しかし従来のアプリケーションのためにも、アプリケーション層上などのそれぞれのサービスおよび上位ＯＳＩ層、ならびにネットワーク層上のレート制御プロトコル（例えば、ＴＣＰ）は、ＳＰＳがアプリケーション、サービスまたはプロトコルによって直接影響されおよび／または適応され得る場合、ネットワークスループット、適応レイテンシまたはＲＴＴ（往復時間）削減に関して性能を向上させることができる。
【００１４】
図３は、ＲＲＣによって提供される従来のＳＰＳ構成の一例を示す（参考文献［５］を参照）。構成パラメータ「ｓｅｍｉ−ｐｅｒｓｉｓｔｅｎｔｓｃｈｅｄｉｎｔｅｒｖａｌＤＬ」および「ｓｅｍｉ−ｐｅｒｓｉｓｔｅｎｔｓｃｈｅｄｉｎｔｅｒｖａｌＵＬ」は、ＳＰＳ期間とも呼ばれる、ＳＰＳ間隔の１６個の異なるモードの列挙を示す４ビットフィールドに基づく。１６個の構成可能なモードから、Ｎ個のサブフレームのスケジューリング期間に対してｓｆＮとラベル付けされた１０個の所定の期間の選択があり、Ｎ≧１０である。さらに、ｓｐａｒｅＸとラベル付けされた６つの動的に調整可能な期間が提供される。基地局は、参考文献［１］に概説されているように、例えば、ＲＲＣ接続セットアップメッセージ、ＲＲＣ接続再構成メッセージ、またはＲＲＣ接続再確立メッセージを使用して、追加のＳＰＳ−Ｃｏｎｆｉｇモードをユーザ機器に提供する。参考文献［２］で定義されているように、サブフレームの倍数に基づく間隔または期間の一般的な依存性、すなわち、数ミリ秒への依存性は、ｓｐａｒｅＸ構成にも有効であるが、ｓｐａｒｅＸ構成を使用するとき、ＳＰＳ期間は、最小１サブフレーム（１ミリ秒）まで低下させることができる。
【００１５】
したがって、ＳＰＳは、周期的な送信のための制御オーバーヘッドを削減するために使用され得る。ＳＰＳは、Ｖｏｉｃｅ  ｏｖｅｒ  ＬＴＥなどのユースケースのためのものであるが、ＳＰＳは、例えば、Ｖ２Ｘ（車両からあらゆるものへ）またはＶ２Ｖ（車両から車両へ）のシナリオにおいて遭遇する可能性がある、異なる要件と一緒になるさらに多くのユースケースに適用可能である。そのような特定のユースケースでは、ネストされたＳＰＳ構成を含む、より複雑なＳＰＳ構成が必要になる場合がある。例えば、Ｖ２ＶおよびＶ２Ｘのシナリオは、使用機器の高速移動を伴い、そのためセルのハンドオーバがかなり頻繁に起こり得る。現在、すべてのＳＰＳ構成は、ハンドオーバ時、すなわち、現在担当しているソース基地局ではなく新しいターゲット基地局によって担当されるようにユーザ機器がワイヤレス通信ネットワークのあるセルから別のセルに移動するときに失われ（ハンドオーバとも呼ばれる）、ＵＥに現在実装されているＳＰＳ構成は、もはや維持されていない。これは、ＵＥのＳＰＳ構成が新しいまたはターゲット基地局で再構成されなければならないことを必要とする。
【００１６】
上述のＶ２ＸまたはＶ２Ｖのシナリオなどのある特定のシナリオでは、ユーザ機器は、複数のＳＰＳ構成で構成され得る。例えば、Ｖ２ＸまたはＶ２Ｖのシナリオでは、最大８つのＳＰＳ構成がユーザ機器に実装され得る。ハンドオーバ時のＳＰＳ構成の喪失とは無関係に、複数のＳＰＳ構成を有するシナリオでユーザ機器を構成するとき、上述のＤＣＩメッセージなどの追加の制御メッセージが必要とされる。ＳＰＳ構成の各々に対して、それぞれのＳＰＳ構成をアクティブ化するために１つのＤＣＩメッセージが必要とされ、チャネル品質が変化した場合には、ＳＰＳ構成のリソースを最初に割り当てるために、またはそれぞれのＳＰＳ構成のリソースを再割り当てするために別のＤＣＩメッセージが必要とされる。したがって、ユーザ機器を構成することができるＳＰＳ構成の数の増加は、制御メッセージの数の対応する増加と一緒になる。
【発明の概要】
【発明が解決しようとする課題】
【００１７】
第１の態様によれば、本発明の目的は、ハンドオーバ後のＵＥ内のＳＰＳ再構成を回避する手法を提供することであり、第２の態様によれば、本発明の目的は、１つまたは複数の構成で構成されているＵＥの制御シグナリングオーバーヘッドを削減することである。
【課題を解決するための手段】
【００１８】
この目的は、独立請求項に定義されている主題によって達成される。
【００１９】
実施形態は、従属請求項に定義されている。
【００２０】
次に、添付の図面を参照しながら本発明の実施形態をさらに詳細に説明する。
【図面の簡単な説明】
【００２１】
【図１】ワイヤレス通信システムの一例の概略図である。
【図２】従来のＬＴＥダウンリンク通信に使用することができる２つのアンテナポートのＯＦＤＭＡサブフレームの一例を示す図である。
【図３】従来のＳＰＳ構成の一例を示す図である。
【図４】図１を参照して上述したものと同様のワイヤレス通信ネットワークの一部を示す図である。
【図５】基地局が複数のセルに設けられることを除いて、図４のシナリオと同様のシナリオを示す図である。
【図６】一実施形態による、ハンドオーバ中にＳＰＳ同期がどのように維持されるかを示す概略図である。
【図７】本発明の実施形態による、ＳＰＳ  Ｃ−ＲＮＴＩを更新するために使用される修正されたＲＲＣメッセージの一実施形態を示す図である。
【図８】ハンドオーバ維持フラグを含む、修正されたＳＰＳ構成メッセージの一実施形態を示す図である。
【図９】単一のＳＰＳ構成を使用してＳＰＳで構成されているＵＥを制御するためのいくつかのフィールドを含む、ＳＰＳ  ＤＣＩメッセージ２００の概略図である。
【図１０】ユーザ機器が複数の異なるＳＰＳ構成を使用してＳＰＳでスケジューリングされると仮定される、本発明の手法の第２の態様のさらなる実施形態を示す図である。
【図１１】ＳＰＳで構成されたユーザ機器で使用され得るＳＰＳ構成１〜８にリソースを割り当てるためのＤＣＩメッセージの一実施形態を示す図である。
【図１２】ここでもまた、ユーザ機器が最大８つのＳＰＳ構成１〜８を使用してＳＰＳで構成され、ＳＰＳ構成の各々が特定のＳＰＳ間隔および特定のデータサイズを含むと仮定される、本発明の手法の第２の態様の別の実施形態を示す図である。
【図１３】図１１または図１２を参照して上述したように、１つのＤＣＩメッセージを使用していくつかのＳＰＳ構成にリソースをアサインするための一実施形態を示す図である。
【図１４】それぞれのＳＰＳ構成へのリソースの動的アサインメントを提供する、本発明の手法の第２の態様の別の実施形態を示す図である。
【図１５】いくつかのＳＰＳ構成がグループにまとめられる、本発明の第２の態様の別の実施形態を示す図である。
【図１６】送信機から受信機に情報を送信するためのワイヤレス通信システムの概略図である。
【発明を実施するための形態】
【００２２】
以下において、本発明の好ましい実施形態は、同じまたは同様の機能を有する要素が同じ参照符号によって参照される添付の図面を参照してさらに詳細に説明される。
【００２３】
ここで、本発明の手法の第１の態様の実施形態を説明する。第１の態様によれば、本発明は、ハンドオーバ後のユーザ機器の連続的なまたは中断されないＳＰＳを提供する。
【００２４】
図４は、図１を参照して上述したものと同様のワイヤレス通信ネットワークの一部を示す。３つのセル１００１〜１００３が示されている。各セル１００１〜１００３は、基地局ｅＮＢ１〜ｅＮＢ３を含む。ワイヤレス通信ネットワークのコアネットワーク１０８は、移動管理エンティティ（ＭＭＥ）１１０を含むものとして概略的に表されている。基地局ｅＮＢ１〜ｅＮＢ３は、Ｓ１インターフェースを介してコアネットワーク１０８に接続される。さらに、基地局ｅＮＢ１〜ｅＮＢ３は、Ｘ２インターフェースを介して互いに直接接続される。ＵＥは、自動車に設けられた移動端末である。他の実施形態では、ＵＥは、任意の種類の車両用デバイスであってもよい。ＵＥは、無線信号１１２を受信／送信するためのアンテナＡＮＴＵＥを含む。基地局ｅＮＢ１〜ｅＮＢ３の各々は、無線信号１１２を受信／送信するためのそれぞれのアンテナＡＮＴｅＮＢ１〜ＡＮＴｅＮＢ３を含む。ＵＥは、ソースセルとも呼ばれるセル１００１に最初は位置する。ソースセル１００１に関連付けられた基地局ｅＮＢ１は、ＵＥを担当する、すなわち、ＵＥは、ダウンリンク／アップリンク接続でデータを受信／送信するために基地局ｅＮＢ１を介してワイヤレス通信ネットワークに接続される。ＵＥは、自動車内にあっても、自動車の一部であってもよい。ＵＥは、高速で走行すると仮定され、ＵＥが走行するにつれて、最終的にはソースセル１００１を離れる。その移動軌跡１１４に従って、ＵＥは、ターゲットセルとも呼ばれるセル１００２に到達する。ソースセル１００１からターゲットセル１００２に移動するとき、ハンドオーバ後にＵＥがターゲットセル１００２のターゲット基地局ｅＮＢ２によって担当されるように、ハンドオーバが実行される。ＵＥが移動軌跡１１４に従って移動し続けると、最終的にはソースセルであるセル１００２を離れて新しいターゲットセル１００３に入り、それにより別のハンドオーバが発生し、ハンドオーバ後のＵＥは、基地局ｅＮＢ３によって担当される。ハンドオーバ手順ならびにＵＥ、ソース基地局、ターゲット基地局およびＭＭＥ１１０とサービングゲートウェイとの間で交換されるそれぞれのメッセージの一例は、参考文献［６］に記載されている。ハンドオーバは、コアネットワーク、例えばＭＭＥ１１０によってトリガされてもよく、またはＵＥによってトリガされてもよい。
【００２５】
ＵＥは、ＳＰＳで構成され得る。現在ＳＰＳは、セルベースであり、すなわち、ＵＥは、ＳＰＳで基地局ｅＮＢ１によって構成されることになる。基地局ｅＮＢ１は、ＳＰＳをアクティブ化し、ＳＰＳ構成に従ってリソースを割り当てるために、ＤＣＩメッセージなどの１つまたは複数の制御メッセージを発行する。ＳＰＳは、ＵＥがセル１００１内にある限り行われる。ハンドオーバ後、かつＵＥがターゲットセル１００２に到達して基地局ｅＮＢ２によって担当されるようになると、ＵＥは、ターゲットセル１００２にＳＰＳで新たに構成される。ＬＴＥシステムにおけるＳＰＳ  Ｃ−ＲＮＴＩのように、ＳＰＳ制御シグナリングのための新しい識別子もまた、ターゲット基地局ｅＮＢ２によって発行され得る。ＲＮＴＩは、一般に、他の環境では異なる名前が付けられることがあるＳＰＳ制御シグナリングの識別子である。例えば、Ｖ２Ｘ環境では、新しいＲＮＴＩを最大８つのＳＰＳ構成に提供することができる。
【００２６】
本発明によれば、ハンドオーバ後にＳＰＳでＵＥを新たに構成することが回避される。ＵＥは、ソースセル１００１からターゲットセル１００２に移動するとき、例えば、ハンドオーバを実行するとき、ＳＰＳを維持する。実施形態によれば、ターゲット基地局によってＵＥの完全で新しい構成を提供する必要なしに、ターゲット基地局ｅＮＢ２からのアクティブ化信号によってＳＰＳを再アクティブ化することだけが必要であり得る。実施形態によれば、ＳＰＳ  Ｃ−ＲＮＴＩのようなＳＰＳ制御シグナリングの新しい識別子も発行される。
【００２７】
本発明のさらなる実施形態によれば、ＳＰＳを維持するために、例えばＳＰＳでＵＥを構成するためにソース基地局ｅＮＢ１によって使用されたＳＰＳ構成は、ハンドオーバ時にターゲット基地局ｅＮＢ２に転送される。例えば、Ｘ２インターフェースは、ＳＰＳ構成をソース基地局ｅＮＢ１からターゲット基地局ｅＮＢ２に渡すために使用されてもよい。他の実施形態では、ＳＰＳ構成は、それぞれの基地局のＳ１インターフェースを使用して、コアネットワークを介してソース基地局ｅＮＢ１からターゲット基地局ｅＮＢ２に渡されてもよい。さらに他の実施形態では、ＵＥは、ハンドオーバ手順中にＳＰＳ構成をターゲットｅＮＢ２に直接送信することができる。ソースセル１００１から新しいソースセルとなるターゲットセル１００２へのＵＥのハンドオーバ後のＳＰＳの新たな構成または再構成は、必要とされない。ＵＥは、ＳＰＳ構成を維持し、ターゲット基地局ｅＮＢ２は、ＵＥに実装されたＳＰＳ構成を受信し、受信したＳＰＳ構成に基づいてＳＰＳを継続することができる。実施形態によれば、ＳＰＳが継続されていることをＵＥに示すために、アクティブ化信号がターゲット基地局ｅＮＢ２によって送られてもよい。他の実施形態によれば、アクティブ化は、ターゲット基地局によるＳＰＳに対するリソースアサインメントに応じて行われてもよい。
【００２８】
実施形態によれば、ＳＰＳ構成をターゲット基地局ｅＮＢ２に渡すことに加えて、ターゲット基地局は、例えばソースセル１００１で使用されているＳＰＳ  Ｃ−ＲＮＴＩがターゲットセル１００２で占有、ブロックまたは使用される状況において、ＳＳＰＳ  Ｃ−ＲＮＴＩを更新し、それに従ってＵＥに通知することができる。
【００２９】
図４では、ＵＥは、自動車内にあるか、自動車の一部である。他の実施形態によれば、ＵＥは、別の種類の移動端末、例えばＮＢ−ＩＯＴ規格に従って動作するハンドヘルドデバイスまたはセンサであってもよい。センサは、自動車の一部であってもよいし、または高速列車などの別の移動エンティティの一部であってもよい。ＵＥのユーザは、高速道路を走行する車両内の乗客であり得るか、またはユーザは、高速列車もしくは飛行機の乗客であり得る。そのようなシナリオでは、ＵＥは頻繁なハンドオーバを経験するが、本発明の手法によれば、ＵＥは、Ｘ２インターフェースを介してまたはＳ１インターフェースを介してソース基地局によってターゲット基地局に転送され得る１つまたは複数の現在のＳＰＳ構成を維持するので、ＳＰＳのいかなる再構成も回避される。実施形態によれば、ＳＮステータス転送メッセージは、ＳＰＳ構成（単数または複数）を転送するために使用されてもよい。ＳＰＳ構成を含むデータ構造の一例は、図３を参照して上述した通りである。
【００３０】
図４は、基地局が１つのセルに設けられていることを示す。しかしながら、基地局はまた、図５に概略的に示すように複数のセルに設けられてもよい。図５は、基地局ｅＮＢ２が複数のセル、すなわちセル１００２、１００３および１００４に設けられることを除いて、図４のシナリオと同様のシナリオを示す。セル１００２、１００３および１００４の１つ内のＵＥは、基地局ｅＮＢ２を介してネットワークに接続する。ＵＥが、例えば、セル１００２からセル１００３に移動するとき、ハンドオーバが行われる。また、そのようなシナリオでは、基地局が変化しないという事実にもかかわらず、ハンドオーバが発生したときにＳＰＳを新たに構成する必要がある。ハンドオーバ後にＳＰＳでＵＥを新たに構成することは、回避される。ＵＥは、ソースセル１００２からターゲットセル１００３に移動するとき、すなわち、ハンドオーバを実行するとき、ＳＰＳを維持する。基地局ｅｎＢ２はＳＰＳ構成を知っているので、このシナリオではＳＰＳ構成の転送は行われない。この実施形態では、ＳＰＳ  Ｃ−ＲＮＴＩのようなＳＰＳ制御シグナリングの新しい識別子のみがハンドオーバ後に発行される。
【００３１】
さらなる実施形態によれば、ＳＰＳ構成をソースセルまたはソース基地局からターゲットセルまたはターゲット基地局に転送することは、ターゲット基地局が正しいタイミングでＳＰＳを継続することを可能にするように、次に予想されるＳＰＳパケットの時間をターゲット基地局にシグナリングすることをさらに含む。例えば、次のＳＰＳ間隔までの時間は、ターゲット基地局に向けてシグナリングされ得る。他の実施形態によれば、これまでに既に使い果たされたＳＰＳ間隔の期間は、ターゲット基地局にシグナリングされるか、または次のＳＰＳ間隔の開始は、例えば無線フレーム、サブフレーム番号、スロット番号またはＴＴＩ（送信時間間隔）番号に基づいて絶対時間としてシグナリングされる。実施形態によれば、次に予想されるＳＰＳパケットの時間は、ユーザ機器またはソース基地局のいずれかによってターゲット基地局にシグナリングされ得る。図６は、一実施形態による、ハンドオーバ中にＳＰＳ同期がどのように維持されるかを示す概略図である。図６は、ユーザ機器がソース基地局によって最初に担当され、ネットワークの上位層からのデータ１１６がユーザ機器に送信されるダウンリンク状況を示す。ユーザ機器は、周期性またはＳＰＳ間隔１１８を有するＳＰＳで構成される。例えば、データ１１６１がソース基地局で受信されると、時間ｔ１において、データ１１６１は、スケジューリングされたリソースで基地局からユーザ機器に送信される。後の時間において、さらなるデータ１１６２が基地局で受信され得、ｔ２においてユーザ機器に送信される。ｔ１とｔ２との間の時間差は、ＳＰＳ間隔１１８である。図６は、１２０におけるハンドオーバを概略的に表し、ハンドオーバ１２０後、ユーザ機器はもはやソース基地局によって担当されておらず、ここではターゲット基地局によって担当されている。ターゲット基地局は、ＵＥのＳＰＳ構成および次に予想されるＳＰＳパケットまでの時間に関する情報を受信するので、ユーザ機器のデータ１１６３は、時間ｔ３においてターゲット基地局によって送信され得る。さらなるデータ１１６４は、時間ｔ４においてターゲット基地局からユーザ機器に送信され得る。それぞれの時間ｔ１〜ｔ４は、ユーザ機器のＳＰＳ構成で定義されるＳＰＳ間隔１１８によって分離されている。ＳＰＳ間隔は、次のＳＰＳ送信までの時間ｔ３がユーザ機器またはソース基地局のいずれかによってターゲット基地局にシグナリングされるので、ハンドオーバ後も維持される。このプロセスは、システムの上位層に対して透過的であるので、ハンドオーバの場合でも連続的なＳＰＳが可能になる。
【００３２】
さらなる実施形態によれば、ＵＥは、アップリンク制御またはデータチャネルを使用してＳＰＳ構成およびＳＰＳ  Ｃ−ＲＮＴＩについてターゲット基地局に通知することができ、ソース基地局は、特定の情報が制御またはデータチャネルに含まれるかどうかを示す、ＵＥの指示またはＵＥのリストをターゲット基地局に送ることができる。例えば、Ｘ２インターフェースまたはハンドオーバーコンテキスト転送が利用可能でないとき、ＵＥは、ＵＬ制御またはデータチャネルを通じてそれらのＳＰＳ構成についてターゲットｅＮＢに通知することができる。ＵＥは、ＲＰＳシグナリングを使用して、そのＳＰＳ構成および／または同じＳＰＳ構成を継続する要求を伴うハンドオーバ後に次のＳＰＳ発生までの時間をターゲットｅＮＢに送信することができる。この要求は、ＤＣＩまたはＲＲＣシグナリングを介してＳＰＳを直接アクティブ化することによってターゲットｅＮＢによって確認応答され得る。
【００３３】
さらなる実施形態によれば、ハンドオーバが発生すると、ハンドオーバ領域において、ＵＥの二重接続性が提供され得る。ＵＥは、タイムクリティカルなアプリケーションの再構成期間を活用するのを助けることができるソースおよびターゲット基地局に接続することができる。ＳＰＳ構成の更新は、例えば新しいＳＰＳ  Ｃ−ＲＮＴＩをＵＥにシグナリングするために、Ｘ２インターフェースを通じてターゲット基地局によってトリガされてもよく、ソース基地局は、更新メッセージの送信機として機能してもよい。言い換えれば、ＵＥがソースおよびターゲット基地局への二重接続性を維持する二重接続性モードは、ソースセルのＳＰＳ  Ｃ−ＲＮＴＩをターゲットセルで使用することができない状況を処理することを可能にし、ターゲット基地局は、使用されるＣ−ＲＮＴＩも示すＳＰＳ構成の更新を既に生成することができる。次に、更新は、更新されたＳＰＳ構成をハンドオーバ領域にあるＵＥに送信することによって、ソース基地局によって実行される。
【００３４】
上述のように、実施形態によれば、図４のターゲットセル１００２がソースセル１００１によって使用されるのと同じＳＰＳ  Ｃ−ＲＮＴＩを使用することを可能にしない状況では、例えばＳＰＳ  Ｃ−ＲＮＴＩがターゲットセルの別のＵＥに使用されるので、ソース基地局またはターゲット基地局のいずれかは、例えばＲＲＣ（無線リソース制御）シグナリングを使用して、ＵＥのＳＰＳ  Ｃ−ＲＮＴＩを更新することができる。このシグナリングは、ハンドオーバ時にＳＰＳ  Ｃ−ＲＮＴＩがターゲットセルで使用される新しいＳＰＳ  Ｃ−ＲＮＴＩで更新されるように、ＵＥを再構成するためのソース基地局ｅＮＢ１によって発行されるＲＲＣ接続再構成メッセージを含むことができる。他の実施形態によれば、ＳＰＳ  Ｃ−ＲＮＴＩは、ハンドオーバが完了するとターゲット基地局によって、またＲＲＣシグナリングによっても更新され得る。
【００３５】
図４では、すべての基地局はワイヤレス通信ネットワークのマクロ基地局であると仮定されている。しかしながら、他の実施形態によれば、それぞれの基地局はすべて、ワイヤレス通信ネットワークのマクロセル内に展開されている、フェムト基地局などのスモールセル基地局であり得る。他の実施形態によれば、基地局は、マクロセル基地局およびスモールセル基地局を含み得る。
【００３６】
他の実施形態によれば、本発明の手法は、高速で移動していないＵＥにも適用することができ、すなわち、本発明の手法は、高速で移動するＵＥよりも少ない頻度でハンドオーバを経験するＵＥにも適用することができる。したがって、本発明の手法は、高速で走行するＵＥに限定されない。
【００３７】
実施形態によれば、ＵＥのＳＰＳ  Ｃ−ＲＮＴＩは、ＲＲＣ（無線リソース制御）シグナリングを使用して更新され得る。このシグナリングは、ハンドオーバ時にＳＰＳ  Ｃ−ＲＮＴＩがターゲットセルで使用される新しいＳＰＳ  Ｃ−ＲＮＴＩで更新されるように、ＵＥを再構成するためのソース基地局によって発行されるＲＲＣ接続再構成メッセージを含むことができる。他の実施形態によれば、ＳＰＳ  Ｃ−ＲＮＴＩは、ハンドオーバが完了するとターゲット基地局によって、またＲＲＣシグナリングによっても更新され得る。図７は、本発明の実施形態による、ＳＰＳ  Ｃ−ＲＮＴＩを更新するために使用される修正されたＲＲＣメッセージの一実施形態を示す。図３に示すＳＰＳ構成メッセージと比較すると、ＳＰＳ  Ｃ−ＲＮＴＩを更新するためのＲＲＣメッセージは、エントリ「ｎｅｗＳｅｍｉＰｅｒｓｉｓｔＳｃｈｅｄＣ−ＲＮＴＩ」１３０、エントリ「ｏｌｄＳｅｍｉＰｅｒｓｉｓｔＳｃｈｅｄＣ−ＲＮＴＩ」１３２、エントリ「更新ＮＵＬＬ」１３４、およびエントリ「更新ＮＵＬＬ」１３６を含むように拡張される。図７に示すＲＲＣメッセージは、例えばＸ２インターフェースを介して、ターゲット基地局からターゲットセルで使用されることをＳＰＳ  Ｃ−ＲＮＴＩに要求することができるソース基地局によって使用され得る。ＵＥのターゲットセルへのハンドオーバまたは再接続の前に、更新メッセージが発行され得る。ソース基地局は更新メッセージを生成し、ターゲット基地局から受信した新しいＳＰＳ  Ｃ−ＲＮＴＩをエントリ１３０に含む一方、ソース基地局の現在使用されているＳＰＳ  Ｃ−ＲＮＴＩは依然としてエントリ１３２に示されているので、更新の受信にもかかわらず、エントリ１３４および１３６は依然として「ヌル」と示されており、ＵＥは古いまたはソースのＳＰＳ  Ｃ−ＲＮＴＩを使用し続ける。ハンドオーバが完了すると、ターゲット基地局は、エントリ１３４および１３６を変更することによって構成を更新することができ、その結果、ここでターゲットセル１００２の新しいＳＰＳ  Ｃ−ＲＮＴＩが使用されることが示される。図７に示されるＳＰＳ更新メッセージは、参考文献［７］に記載されているように、ＳＰＳ−Ｃｏｎｆｉｇ  ＲＲＣメッセージに基づいてもよい。図７は、１３８において、次のＳＰＳまでの時間に関する上述の情報がＳＰＳ構成に含まれる一実施形態を概略的に示す。
【００３８】
本発明の他の実施形態によれば、そのＳＰＳ構成を維持するＵＥは、ターゲット基地局によるハンドオーバに続いて再アクティブ化され得る。最初のＳＰＳ構成は、アクティブ化されると、ターゲット基地局によるＳＰＳの再アクティブ化のためのハンドオーバ後にＵＥを一定時間待機させ、再アクティブ化が受信されない場合には、ＳＰＳが一時停止される「ハンドオーバ維持」フラグを含むように修正され得る。再アクティブ化は、新しいＳＰＳ  Ｃ−ＲＮＴＩを含み得るターゲット基地局からの信号であり得る。新しいＳＰＳ  Ｃ−ＲＮＴＩが含まれていない場合、現在使用されているＳＰＳ  Ｃ−ＲＮＴＩは依然として有効であるとみなされ、ＵＥはこのＳＰＳ  Ｃ−ＲＮＴＩを使用し続ける。これは、ＳＰＳ  Ｃ−ＲＮＴＩを変更するための対応するＲＲＣシグナリングによって、またはソースｅＮＢによってアサインされている場合には古いＲＮＴＩまたは新しいＲＮＴＩとのＤＣＩアクティブ化によって直接行われ得る。ＳＰＳがこの一定時間内に再アクティブ化されないとき、ＵＥは、そのＳＰＳ構成を解放する。図８は、修正されたＳＰＳ構成メッセージの一実施形態を示し、より具体的には、ハンドオーバ維持フラグを定義する追加のエントリ１４０および１４２を含む、ダウンリンクおよびアップリンクに対するＳＰＳ構成メッセージの一部が示される。
【００３９】
以下では、本発明の第２の態様をさらに詳細に説明する。以下に記載の第２の態様は、上述の第１の態様と組み合わせて使用することができ、または第１の態様とは無関係に使用することができることに留意されたい。本発明の第２の態様によれば、制御メッセージのシグナリングは、１つまたは複数のＳＰＳ構成のリソース割り当てのアクティブ化のため、または複数のＳＰＳ構成をアクティブ化するため、または単一のＤＣＩメッセージによってＳＰＳ構成のグループをアドレス指定するためにＳＰＳで構成されるユーザ機器に単一の制御メッセージまたはＤＣＩメッセージを提供することによって削減される。実施形態によれば、ユーザ機器でＳＰＳをアクティブ化するため、およびチャネル特性を変更する場合にリソース割り当てのため、またはリソース割り当てを再構成するために別々のＤＣＩメッセージを使用する代わりに、最初にＳＰＳが開始されるとき、ユーザ機器は、ＳＰＳをアクティブ化させる単一のＤＣＩメッセージを受信し、これはリソース割り当て情報も含み得る。本発明の第２の態様はまた、ハンドオーバの場合に連続的なＳＰＳを提供する上述の第１の態様と共に使用することができる。
【００４０】
以下では、第２の態様による本発明の手法の実施形態をさらに詳細に説明する。図９は、単一のＳＰＳ構成を使用してＳＰＳで構成されているＵＥを制御するためのいくつかのフィールドを含む、ＳＰＳ  ＤＣＩメッセージ２００の概略図を示す。図９の実施形態では、ＤＣＩメッセージ２００は、変調および符号化方式２００１に関する情報、ＤＣＩメッセージが提供されるそれぞれのＳＰＳ構成に割り当てられるリソース２００２に関する情報、およびＵＥのＳＰＳをアクティブ化させる情報２００３を含む。したがって、１つまたは単一のＤＣＩメッセージ２００が使用され、ユーザ機器のＳＰＳをアクティブ化し、ＳＰＳ構成のリソースを割り当てる。したがって、図９を参照して説明した実施形態によれば、複数のＤＣＩ制御メッセージ、すなわちリソースをアクティブ化して割り当てるための別々のＤＣＩ制御メッセージを送るためのシグナリングオーバーヘッドは、アクティブ化およびリソース割り当てが単一のＤＣＩメッセージで行われるので回避される。
【００４１】
図１０は、ユーザ機器が、Ｖ２ＸまたはＶ２Ｖのシナリオで実装され得るので、複数の異なるＳＰＳ構成を使用してＳＰＳでスケジューリングされると仮定される、本発明の手法の第２の態様のさらなる実施形態を示す。例えば、異なるエンティティからのデータでは異なる可能性がある送信間隔の要件を満たすように、送信されるデータの種類に応じて複数のＳＰＳ構成を使用することができ、例えば、車両の状態に関する特定の情報についてのデータは、車両に関する位置情報よりも少ない頻度で送信されることを必要とし得る。送信されるデータのサイズもまた、異なる場合がある。ユーザ機器において送信または受信される異なる種類のデータについて、異なるＳＰＳ間隔、したがって、異なるＳＰＳ構成がユーザ機器において実装され得る。また、送信には異なる数のリソースが必要となる可能性がある。そのようなシナリオにおけるシグナリングオーバーヘッドを削減するために、図１０に示す実施形態によれば、ＳＰＳ  ＤＣＩメッセージ２０２が提供される。ＳＰＳ  ＤＣＩメッセージ２０２は、８つの異なるＳＰＳ構成を使用してＳＰＳで構成されているユーザ機器用であると仮定される。ＳＰＳ  ＤＣＩメッセージ２０２は、ユーザ機器でＤＣＩメッセージを受信するとＳＰＳ構成をアクティブ化させる情報２０２１を含む。ＳＰＳ  ＤＣＩメッセージ２０２は、ＳＰＳ構成のすべてをアクティブ化するために使用されてもよく、またはＳＰＳ構成のサブセットまたはグループをアクティブ化するために使用されてもよい。後者の場合、ＳＰＳ  ＤＣＩメッセージ２０２は、ユーザ機器でＤＣＩメッセージを受信するとアクティブ化されるそれらのＳＰＳ構成またはＳＰＳ構成のグループ（図１５を参照して以下に説明される実施形態も参照）を識別するオプション情報２０２２を含む。ＳＰＳ構成またはグループＳＰＳ構成は、ＳＰＳ−ＩＤとも呼ばれるそれぞれの識別子と関連付けられていてもよく、アクティブ化されるそれらのＳＰＳ構成について、フィールド２０２２は、対応するＳＰＳ−ＩＤを含む。ＳＰＳ構成をアクティブ化するだけのとき、変調および符号化方式に関する追加の情報は必要ない場合がある。したがって、図１０の実施形態によれば、１つのＤＣＩメッセージまたは単一のＤＣＩメッセージのみが使用され、ユーザ機器が構成され得るＳＰＳ構成のすべてまたはサブセットをアクティブ化し、それによってＳＰＳ構成の各々を個別にアクティブ化するために最大８つの異なるＤＣＩメッセージを送るのではなく、シグナリングオーバーヘッドを単一のＤＣＩメッセージに削減する。ＤＣＩメッセージ２０２は、いかなるリソース割り当ても引き起こさず、これは後の時間で送られる別々のＤＣＩメッセージによって行われてもよい。この後者のＤＣＩメッセージは、ＳＰＳ構成の各々に対する個別のメッセージであり得るか、またはユーザ機器が構成されるアクティブ化されたＳＰＳ構成のすべてまたはサブセットのリソースを示す複合ＳＰＳ  ＤＣＩであり得る。
【００４２】
図１１は、ＳＰＳで構成されたユーザ機器で使用され得るＳＰＳ構成１〜８のすべてまたはサブセットにリソースを割り当てるためのＤＣＩメッセージの一実施形態を示す。変調および符号化方式に関する情報２０４１を含むＳＰＳ  ＤＣＩメッセージ２０４が提供される。ＳＰＳ  ＤＣＩメッセージ２０４は、例えば、ＳＰＳ構成によって定義されたデータサイズに応じて、ＳＰＳ構成に割り当てられるリソースに関する情報２０４２を含む。ＳＰＳ  ＤＣＩメッセージ２０４は、ＳＰＳ構成のすべてのリソースを割り当てるために使用されてもよく、またはＳＰＳ構成のサブセットまたはグループのリソースを割り当てるために使用されてもよい。後者の場合、ＳＰＳ  ＤＣＩメッセージ２０４は、ユーザ機器でＤＣＩメッセージを受信するとリソースが割り当てられるそれらのＳＰＳ構成またはＳＰＳ構成のグループ（図１５を参照して以下に説明される実施形態も参照）を識別するオプション情報２０４３を含む。ＳＰＳ構成またはグループＳＰＳ構成は、ＳＰＳ−ＩＤとも呼ばれるそれぞれの識別子と関連付けられていてもよく、リソースが割り当てられるそれらのＳＰＳ構成について、フィールド２０４３は、対応するＳＰＳ−ＩＤを含む。図１１の実施形態では、最大８つのＳＰＳ構成がＵＥに構成され、ＤＣＩメッセージ２０４は、フィールド２０４２において、アドレス指定されたＳＰＳ構成のすべてまたは各々に対して、割り当てられるそれぞれのリソースをシグナリングすると仮定される。例えば、第１のセットのリソースまたはリソース要素は、ＳＰＳ構成１にアサインされ、以下のリソース要素は、ＳＰＳ構成２〜８に割り当てられる。これは、ＰＤＣＣＨで送信されるサブフレームおよびＤＣＩメッセージ２００４を示す図１１の右側に概略的に表され、サブフレームに概略的に示されるように、それぞれのリソース要素を指すリソース情報２０４２を含む。したがって、図１１の実施形態によれば、１つのＤＣＩメッセージまたは単一のＤＣＩメッセージが使用され、ＳＰＳ構成１〜８のすべてまたはサブセットのリソースを割り当てる。
【００４３】
図１２は、ここでもまた、ユーザ機器が最大８つのＳＰＳ構成１〜８を使用してＳＰＳで構成され、ＳＰＳ構成の各々が特定のＳＰＳ間隔および特定のデータサイズを含むと仮定される、本発明の手法の第２の態様の別の実施形態を示す。図１２の実施形態は、ＤＣＩメッセージ２０６がＳＰＳ構成１〜８のすべてまたはサブセットのリソースをアクティブ化して割り当てるという点で、図１０および図１１の上述の実施形態を組み合わせている。ＤＣＩメッセージ２０６は、使用される変調および符号化方式２０６１に関する情報、および必要に応じて、さらなる制御情報を含む。ＳＰＳ  ＤＣＩメッセージ２０６は、ユーザ機器でＤＣＩメッセージを受信するとＳＰＳ構成をアクティブ化させる情報２０６２、および例えば、ＳＰＳ構成によって定義されたデータサイズに応じて、ＳＰＳ構成に割り当てられるリソースに関する情報２０６３を含む。ＳＰＳ  ＤＣＩメッセージ２０６は、ＳＰＳ構成のすべてのリソースをアクティブ化して割り当てるために使用されてもよく、またはＳＰＳ構成のサブセットまたはグループのリソースをアクティブ化して割り当てるために使用されてもよい。後者の場合、ＳＰＳ  ＤＣＩメッセージ２０６は、ユーザ機器でＤＣＩメッセージを受信するとアクティブ化されてリソースが割り当てられるそれらのＳＰＳ構成またはＳＰＳ構成のグループ（図１５を参照して以下に説明される実施形態も参照）を識別するオプション情報２０６４を含む。ＳＰＳ構成またはグループＳＰＳ構成は、ＳＰＳ−ＩＤとも呼ばれるそれぞれの識別子と関連付けられていてもよく、アクティブ化されてリソースが割り当てられるそれらのＳＰＳ構成について、フィールド２０６４は、対応するＳＰＳ−ＩＤを含む。したがって、図１２の実施形態では、１つのＤＣＩメッセージまたは単一のＤＣＩメッセージが使用され、ＳＰＳ構成１〜８の１つまたは複数のリソースをアクティブ化して割り当てる。図１１を参照して上述したように、ＤＣＩは、サブフレームのＰＤＣＣＨで送信され、リソース割り当ては、図１２の右側の２０６４において概略的に表されている。
【００４４】
第２の態様の上述の実施形態は、Ｖ２ＶまたはＶ２Ｘのシナリオで動作するユーザ機器に限定されず、使用される１つまたは複数のＳＰＳ構成を含む任意の種類のユーザ機器に適用することができる。
【００４５】
図９〜図１２を参照して上述した実施形態は、制御メッセージシグナリングの大幅な削減を可能にし、それによって制御メッセージシグナリングオーバーヘッドを削減する。１つまたは複数のＳＰＳ構成のリソースをアクティブ化および／または割り当てるための１つのＤＣＩメッセージの使用に関する上述の手法は、ダウンリンク構成またはアップリンク構成のいずれにも使用することができる。さらなる実施形態によれば、単一のＤＣＩメッセージは、データのアップリンク送信とダウンリンク送信の両方についてリソースを構成してＳＰＳをアクティブ化するために使用することができる。
【００４６】
図１３は、図１１または図１２を参照して上述したように、１つのＤＣＩメッセージを使用していくつかのＳＰＳ構成にリソースをアサインするための一実施形態を示す。異なるＳＰＳ時間間隔ｔ１〜ｔ３および異なるデータサイズｘ１〜ｘ３を有する３つのＳＰＳ構成ＳＰＳ１〜ＳＰＳ３が示されている。さらに、各ＳＰＳ構成は、識別子ＩＤｉ１、ｉ２、ｉ３と関連付けられている。ＤＣＩメッセージ２０４、２０６は、２０４３または２０６４において、すべてのＳＰＳ構成に使用されるリソースまたはリソースのブロックを示す。アサインされるリソースのブロックは、図１３の２０８において概略的に表されている。リソースのブロック２０８は、時間／周波数において連続的であり得るか、または互いに分離され得るサブフレームの複数のリソース要素によって形成され得る。言い換えれば、リソース要素の連続的なブロックが提供されてもよく、またはリソース要素の非連続的なブロックが提供されてもよい、それぞれのブロックのリソース要素は、ＤＣＩメッセージによってそれぞれのＳＰＳ構成に割り当てられる。図１３の実施形態では、単一のＤＣＩメッセージ２０４、２０６は、すべてのＳＰＳ構成ＳＰＳ１〜ＳＰＳ３のリソースをアサインし、さらなるＳＰＳ構成が存在する場合には、追加のＳＰＳ構成のリソースもアサインする。リソースまたはリソースブロック２０８は、それぞれのＳＰＳ構成に関連付けられた識別子に従って最初の構成から最後の構成までリソースをアサインすることによって、各ＳＰＳ構成のデータサイズを使用して分割される。したがって、図１３に示すように、第１のセットのリソースまたはリソース要素は、識別子ｉ１を有するＳＰＳ構成１に割り当てられ、後続のリソース要素は、識別子ｉ２を有するＳＰＳ構成に割り当てられる。他の実施形態によれば、ブロック２０８のリソース要素は、異なる方法で割り当てられてもよく、例えば、第１のリソース要素は、第２または第３のＳＰＳ構成の１つに割り当てられてもよく、または非連続的であるリソース要素は、同じＳＰＳ構成に割り当てられてもよく、例えば、ＩＤｉ１を有するＳＰＳ構成は、アサインされたブロック２０８の始めに第１のセットのリソース要素と、第１のブロックと非連続的であるブロック２０８の別の部分からのさらなる数のリソース要素とを有してもよい。１つまたは単一のＤＣＩは、リソースブロック２０８のリソースを定義し、次に上述のそれぞれの構成に従ってユーザ機器においてブロック２０８からリソースの割り当てを引き起こすことによって、すべての構成を同時に送信するために必要なリソースの量を割り当てることによって一度にいくつかの構成のリソースを割り当てるまたは変更するために使用することができる。
【００４７】
図１４は、それぞれのＳＰＳ構成へのリソースの動的アサインメントを提供する、本発明の手法の第２の態様の別の実施形態を示す。図１４は、図１３と同様に、異なるＳＰＳ間隔、異なるデータサイズおよび異なるＩＤを有する３つのＳＰＳ構成ＳＰＳ１〜ＳＰＳ３を示す。図１４の右側には、図１１および図１２を参照して上述したＤＣＩメッセージ２０４、２０６など、単一のＤＣＩによってアサインされる最大リソースがリソースブロック２０８として示されている。リソースブロック２０８は、ＳＰＳ構成に割り当てられる連続的または非連続的な数のリソース要素を定義することができる。リソースを割り当てるためにＤＣＩメッセージを送るとき、時間ｔ１において、３つのＳＰＳ構成すべてがＵＥによって使用され、ブロック２０８によって提供されるリソースは、それぞれのデータサイズに従ってＳＰＳ構成の間で分配されると決定され得る。時間ｔ２において、ブロック２０８の割り当てられたリソースのすべてがＳＰＳ構成に必要とされるわけではないように、現在第１のＳＰＳ構成のみが使用されると決定され得る。時間ｔ２に示すように、ＳＰＳ構成１のためのリソースのみが割り当てられ、ブロック２０８の他のリソースは、空きのままである。実施形態によれば、これらの空きリソース要素は、別の状況ではスケジューリングされてもよい。例えば、空きリソース要素は、非ＳＰＳトラフィックのために同じＵＥによって使用されてもよく、または異なるＵＥによって使用されてもよい。時間ｔ３において、ＵＥが第１のＳＰＳ構成に加えて第２のＳＰＳ構成を使用すると決定され、ここでＤＣＩはまた、第２のＳＰＳ構成のリソースを割り当てる。空きリソースの数は、時間ｔ２よりも少ない。時間ｔ４の状況は、時間ｔ２の状況に対応し、時間ｔ５の状況は、時間ｔ１の状況に対応する。
【００４８】
したがって、図１４の実施形態によれば、ＳＰＳ構成に必要とされ得るリソースは、各ＳＰＳ発生に対して最初に割り当てられるが、特定の時間に実際に使用されるリソースの数は、現在いくつのＳＰＳ構成がスケジューリングされているかに依存して、およびＵＥのそれぞれのＳＰＳ構成によって使用されるサイズまたはデータに依存して決定される。
【００４９】
次に、図１５を参照して、本発明の第２の態様の別の実施形態について説明する。いくつかのＳＰＳ構成が、グループにまとめられる。図１５は、上部に、各々がＳＰＳ  ＩＤをアサインされた、４つのＳＰＳ構成ＳＰＳ１〜ＳＰＳ４でＵＥが構成され得る一例を示す。ＳＰＳ構成は、図１０〜図１４を参照して上述したＤＣＩメッセージに従って制御され得る。図１５の実施形態によれば、ＳＰＳ構成のすべてまたはＳＰＳ構成のサブセットは、グループにまとめられる。図１５は、それぞれのＩＤによって示されるＳＰＳ構成ＳＰＳ１、ＳＰＳ３およびＳＰＳ４を含む、グループのすべてのメンバをＤＣＩメッセージ内でアドレス指定するために使用されるＩＤをアサインされたグループを示す。ＩＤ５を示すＤＣＩメッセージが送られると、すべてのＳＰＳ構成ＳＰＳ１、ＳＰＳ３およびＳＰＳ４は、例えば、変更または修正されるようにアドレス指定される。例えば、ＤＣＩメッセージ２０２、２０４、２０６のそれぞれのＩＤフィールド２０２２、２０４２および２０６２にグループＩＤを示すとき、このグループのすべてのＳＰＳ構成がアドレス指定されることになる。１つまたは単一のＤＣＩメッセージを使用することによって、ＳＰＳ構成のグループは、切り替えることができる。例えば、単一のＤＣＩメッセージを使用していくつかのＳＰＳ構成を変更することができる。さらに、ＳＰＳ構成は、グループに半静的に追加またはグループから半静的に削除することができ、対応するグループＩＤを有するＤＣＩメッセージは、グループのすべての構成を変更する。実施形態によれば、グループへの／からのＳＰＳ構成の追加／削除は、ＤＣＩメッセージによって引き起こされるのではなく、ＵＥにおいて受信されるさらなる制御メッセージが使用されてもよい。例えば、ＲＲＣメッセージが使用されてもよい。他の実施形態によれば、ＳＰＳ構成（現在グループに属している）がそれ自体においてＤＣＩで再構成されるとき、グループからの暗黙の削除が起こり得る。
【００５０】
本発明の実施形態は、移動端末またはＩｏＴデバイスのような基地局およびＵＥを含む、図１に示すワイヤレス通信システムで実装されてもよい。図１６は、基地局ＢＳとＵＥとの間で情報を通信するためのワイヤレス通信システムの概略図である。基地局ＢＳは、１つまたは複数のアンテナＡＮＴＢＳ、または複数のアンテナ素子を有するアンテナアレイを含む。ＵＥは、１つまたは複数のアンテナＡＮＴＵＥを含む。矢印３００によって示されるように、信号は、無線リンクのようなワイヤレス通信リンクを介して基地局ＢＳとＵＥとの間で通信される。ワイヤレス通信システムは、本明細書に記載の第１の態様および第２の態様の技術に従って動作し得る。
【００５１】
例えば、第１の態様によれば、ＵＥは、このシナリオではワイヤレス通信ネットワークのソースセルのソース基地局である基地局ＢＳによって担当される。ワイヤレス通信ネットワークは、複数のセルを含み、各セルは、基地局を有する。ＵＥは、ＵＥがソース基地局によって提供されるＳＰＳ構成に従ってセミパーシステントスケジューリングで構成されるように、１つまたは複数のアンテナＡＮＴＵＥを介して基地局からのＳＰＳ構成メッセージを含む無線信号を受信する。ＵＥは、ワイヤレス通信ネットワークのソースセルからターゲットセルに移動するときにＳＰＳを維持する。ＵＥは、ＳＰＳ構成メッセージを処理し、例えばハンドオーバ後にソースセルからターゲットセルに移動した後にＳＰＳを維持するための信号プロセッサ３０２を含む。基地局ＢＳは、ソース基地局として動作するとき、ソースセルに位置するＵＥを担当し、ＳＰＳ構成に従ってＳＰＳでＵＥを構成する。基地局ＢＳは、ユーザ機器がワイヤレス通信ネットワークのソースセルからターゲットセルに移動したとき、ＳＰＳ構成をターゲットセルに関連付けられたターゲット基地局に送信するための無線信号を生成する信号プロセッサ３０４を備える。基地局ＢＳは、ターゲット基地局として動作するとき、ＳＰＳ構成に従ってＳＰＳで構成されたＵＥを現在担当しているソース基地局からＳＰＳ構成を受信する。ＳＰＳ構成は、ＵＥがソースセルからターゲットセルに移動するときに受信される。基地局ＢＳは、受信した無線信号を処理してソース基地局によって送信されたＳＰＳ構成を取得する信号プロセッサ３０４を備える。さらに、信号プロセッサ３０４は、受信したＳＰＳ構成に従ってＳＰＳを使用してターゲットセルに位置するＵＥを担当する無線信号を生成する。
【００５２】
例えば、第２の態様の一例によれば、ユーザ機器ＵＥは、ＳＰＳ構成に従ってＳＰＳで構成される。ＵＥは、１つまたは複数のアンテナＡＮＴＵＥを介して、制御メッセージを含む無線信号を受信する。ＵＥは、無線信号を処理してＳＰＳ構成のアクティブ化をシグナリングする制御信号、およびＳＰＳ構成に割り当てられるリソースをシグナリングする制御メッセージを取得する信号プロセッサ３０２を含む。基地局ＢＳは、例えば、信号プロセッサ３０４を使用してＳＰＳ構成メッセージを生成し、１つまたは複数のアンテナＡＮＴＢＳを介してＳＰＳ構成メッセージをＵＥに送ることによって、ＳＰＳ構成に従ってＳＰＳでＵＥを構成する。さらに、基地局は、制御メッセージを含む無線信号を生成してＵＥに送信する。制御メッセージは、ＳＰＳ構成のアクティブ化をシグナリングし、ＳＰＳ構成に割り当てられるリソースをシグナリングする。
【００５３】
第２の態様の別の例によれば、ユーザ機器ＵＥは、複数のＳＰＳ構成に従ってＳＰＳで構成される。ＵＥは、１つまたは複数のアンテナＡＮＴＵＥを介して、制御メッセージを含む無線信号を受信する。ＵＥは、無線信号を処理して複数のＳＰＳ構成のアクティブ化をシグナリングする制御メッセージを取得する信号プロセッサ３０２を含む。制御メッセージはまた、複数のＳＰＳ構成に割り当てられるリソースをシグナリングし得る。基地局ＢＳは、例えば、信号プロセッサ３０４を使用して１つまたは複数のＳＰＳ構成メッセージを生成し、１つまたは複数のアンテナＡＮＴＢＳを介して１つまたは複数のＳＰＳ構成メッセージをＵＥに送ることによって、複数のＳＰＳ構成に従ってＳＰＳでＵＥを構成する。さらに、制御メッセージを含む無線信号を生成してＵＥに送信する。制御メッセージは、複数のＳＰＳ構成のアクティブ化をシグナリングする。制御メッセージはまた、複数のＳＰＳ構成に割り当てられるリソースをシグナリングし得る。
【００５４】
第２の態様のさらに別の例によれば、ユーザ機器ＵＥは、２つ以上のＳＰＳ構成を含む、ＳＰＳ構成の１つまたは複数のグループに従ってＳＰＳで構成される。ＵＥは、１つまたは複数のアンテナＡＮＴＵＥを介して、制御メッセージを含む無線信号を受信する。ＵＥは、無線信号を処理してＳＰＳ構成の１つまたは複数のグループのＳＰＳ構成をアドレス指定する制御メッセージを取得する信号プロセッサ３０２を含む。基地局ＢＳは、例えば、信号プロセッサ３０４を使用して１つまたは複数のＳＰＳ構成メッセージを生成し、１つまたは複数のアンテナＡＮＴＢＳを介して１つまたは複数のＳＰＳ構成メッセージをＵＥに送ることによって、２つ以上のＳＰＳ構成を含む、ＳＰＳ構成の１つまたは複数のグループに従ってＳＰＳでＵＥを構成する。さらに、制御メッセージを含む無線信号を生成してＵＥに送信する。制御メッセージは、ＳＰＳ構成の１つまたは複数のグループのＳＰＳ構成をアドレス指定する。
【００５５】
説明された概念のいくつかの態様は装置の文脈で説明されているが、これらの態様はまた、対応する方法の説明を表し、ブロックまたはデバイスが方法ステップまたは方法ステップの特徴に対応することは明らかである。同様に、方法ステップの文脈で説明された態様はまた、対応する装置の対応するブロックまたは項目または特徴の説明を表す。
【００５６】
ある特定の実装要件に応じて、本発明の実施形態は、ハードウェアまたはソフトウェアで実装することができる。実装は、電子的に読み取り可能な制御信号が記憶され、それぞれの方法が実行されるようにプログラマブルコンピュータシステムと協働する（または協働することができる）デジタル記憶媒体、例えばクラウドストレージ、フロッピーディスク、ＤＶＤ、Ｂｌｕｅ−Ｒａｙ、ＣＤ、ＲＯＭ、ＰＲＯＭ、ＥＰＲＯＭ、ＥＥＰＲＯＭまたはＦＬＡＳＨメモリを使用して実行されてもよい。したがって、デジタル記憶媒体は、コンピュータ可読であり得る。
【００５７】
本発明によるいくつかの実施形態は、本明細書に記載の方法の１つが実行されるように、プログラマブルコンピュータシステムと協働することができる電子的に読み取り可能な制御信号を有するデータキャリアを備える。
【００５８】
一般に、本発明の実施形態は、プログラムコードを有するコンピュータプログラム製品として実装することができ、プログラムコードは、コンピュータプログラム製品がコンピュータで実行されるときに方法の１つを実行するように動作可能である。プログラムコードは、例えば機械可読キャリアに記憶することができる。
【００５９】
他の実施形態は、機械可読キャリアに記憶された、本明細書に記載の方法の１つを実行するためのコンピュータプログラムを備える。言い換えれば、本発明の方法の一実施形態は、したがって、コンピュータプログラムがコンピュータで実行されるとき、本明細書に記載の方法の１つを実行するためのプログラムコードを有するコンピュータプログラムである。
【００６０】
したがって、本発明の方法のさらなる実施形態は、本明細書に記載の方法の１つを実行するためのコンピュータプログラムを記録したデータキャリア（またはデジタル記憶媒体、またはコンピュータ可読媒体）である。したがって、本発明の方法のさらなる実施形態は、本明細書に記載の方法の１つを実行するためのコンピュータプログラムを表すデータストリームまたは一連の信号である。データストリームまたは一連の信号は、例えばデータ通信接続を介して、例えばインターネットを介して転送されるように構成されてもよい。さらなる実施形態は、本明細書に記載の方法の１つを実行するように構成または適合された処理手段、例えばコンピュータ、またはプログラマブルロジックデバイスを備える。さらなる実施形態は、本明細書に記載の方法の１つを実行するためのコンピュータプログラムをインストールしたコンピュータを備える。
【００６１】
いくつかの実施形態では、プログラマブルロジックデバイス（例えばフィールドプログラマブルゲートアレイ）を使用して、本明細書に記載の方法の機能の一部またはすべてを実行することができる。いくつかの実施形態では、フィールドプログラマブルゲートアレイは、本明細書に記載の方法の１つを実行するためにマイクロプロセッサと協働することができる。一般に、方法は、好ましくは、任意のハードウェア装置によって実行される。
【００６２】
上述の実施形態は、本発明の原理を説明するための例示にすぎない。本明細書に記載の構成および詳細の修正および変形は、当業者にとって明らかであるものと理解される。したがって、差し迫った特許請求の範囲だけによって制限され、本明細書の実施形態の記載および説明によって示される具体的な詳細によって制限されないことが意図される。
【００６３】
参考文献
［１］  Ｃ．  Ｊｏｈｎｓｏｎ：  Ｌｏｎｇ  Ｔｅｒｍ  Ｅｖｏｌｕｔｉｏｎ  ｉｎ  Ｂｕｌｌｅｔｓ，  ２ｎｄ  ｅｄｉｔｉｏｎ，  ２０１２，  ｐ．  ４６２
［２］  ３ＧＰＰ  ＴＳ  ３６．３２１  Ｖ１３．１．０  （２０１６−０３），  ｐ．  ４２ｆｆ
［３］  ３ＧＰＰ  ＴＳ  ３６．２１３  Ｖ１３．１．１  （２０１６−０３），  Ｓｅｃｔｉｏｎ  ９．２
［４］  ｈｔｔｐ：／／ｈｏｗｌｔｅｓｔｕｆｆｗｏｒｋｓ．ｂｌｏｇｓｐｏｔ．ｄｅ／２０１３／１０／ｓｅｍｉ−ｐｅｒｓｉｓｔｅｎｔ−ｓｃｈｅｄｕｌｉｎｇ．ｈｔｍｌ
［５］  ３ＧＰＰ  ＴＳ  ３６．３３１  Ｖ１３．１．０  （２０１６−０３），  ｐ．  ３５４
［６］  ｈｔｔｐ：／／ｌｔｅｗｏｒｌｄ．ｏｒｇ／ｂｌｏｇ／ｌｔｅ−ｈａｎｄｏｖｅｒｓ−ｉｎｔｒａ−ｅ−ｕｔｒａｎ−ｈａｎｄｏｖｅｒ
［７］  ３ＧＰＰ  ＴＳ  ３６．３３１  Ｖ１２．７．０
【図１】
2019533964.tif 000003
【図２】
2019533964.tif 000004
【図３】
2019533964.tif 000005
【図４】
2019533964.tif 000006
【図５】
2019533964.tif 000007
【図６】
2019533964.tif 000008
【図７】
2019533964.tif 000009
【図８】
2019533964.tif 000010
【図９】
2019533964.tif 000011
【図１０】
2019533964.tif 000012
【図１１】
2019533964.tif 000013
【図１２】
2019533964.tif 000014
【図１３】
2019533964.tif 000015
【図１４】
2019533964.tif 000016
【図１５】
2019533964.tif 000017
【図１６】
2019533964.tif 000018
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）であって、
前記ユーザ機器（ＵＥ）は、ワイヤレス通信ネットワークのソースセル（１００１）のソース基地局（ｅＮＢ１）によって担当されるように構成され、前記ワイヤレス通信ネットワークは、複数のセル（１００１〜１００３）を含み、各セルは、基地局（ｅＮＢ１〜ｅＮＢ３）を有し、
前記ユーザ機器（ＵＥ）は、前記ソース基地局（ｅＮＢ１）によって提供されるセミパーシステントスケジューリング（ＳＰＳ）構成に従ってＳＰＳで構成され、
前記ユーザ機器（ＵＥ）は、前記ワイヤレス通信ネットワークの前記ソースセル（１００１）からターゲットセル（１００２）、すなわち前記ターゲットセル（１００２）に移動するときにＳＰＳを維持するように構成される、ユーザ機器（ＵＥ）。
【請求項２】
前記ソース基地局が、前記ソースセルおよび前記ターゲットセルを担当し、前記ＵＥが、前記ターゲットセルに対するＳＰＳ制御シグナリングのための新しい識別子を受信するように構成される、請求項１に記載のユーザ機器（ＵＥ）。
【請求項３】
前記ソース基地局（ｅＮＢ１）が、前記ソースセルを担当し、前記ターゲットセルが、ターゲット基地局（ｅＮＢ２）に担当される、請求項１または２に記載のユーザ機器（ＵＥ）。
【請求項４】
前記ユーザ機器（ＵＥ）が、前記ユーザ機器（ＵＥ）の前記ターゲット基地局（ｅＮＢ２）へのハンドオーバのトリガに応じて１つまたは複数のＳＰＳ構成を前記ターゲット基地局（ｅＮＢ２）に送信するように構成される、請求項３に記載のユーザ機器（ＵＥ）。
【請求項５】
ＳＰＳ制御シグナリングのための識別子を前記ターゲット基地局（ｅＮＢ２）に送信するように構成される、請求項３または４に記載のユーザ機器（ＵＥ）。
【請求項６】
前記ＳＰＳ構成が、フラグを含み、前記フラグがアクティブ化されると、前記ユーザ機器（ＵＥ）が、前記ＳＰＳのアクティブ化または前記ターゲット基地局（ｅＮＢ２）によるＳＰＳに対するリソースアサインメントのためのハンドオーバ後に一定時間待機するように構成される、請求項１〜５のいずれか一項に記載のユーザ機器（ＵＥ）。
【請求項７】
前記ターゲット基地局（ｅＮＢ２）による前記ＳＰＳのアクティブ化またはＳＰＳに対するリソースアサインメントが一定時間の間に実行されない場合、前記ユーザ機器（ＵＥ）が、前記ＳＰＳを一時停止するように構成される、請求項６に記載のユーザ機器（ＵＥ）。
【請求項８】
前記ユーザ機器（ＵＥ）が、次のＳＰＳパケットの時間を前記ターゲット基地局（ｅＮＢ２）にシグナリングするように構成される、請求項１〜７のいずれか一項に記載のユーザ機器（ＵＥ）。
【請求項９】
次のＳＰＳパケットの前記時間が、次のＳＰＳ間隔までの時間または絶対時間としてシグナリングされる、請求項８に記載のユーザ機器（ＵＥ）。
【請求項１０】
基地局であって、
前記基地局が、ワイヤレス通信ネットワークのソースセル（１００１）に関連付けられたソース基地局（ｅＮＢ１）であり、前記ワイヤレス通信ネットワークは、複数のセル（１００１〜１００３）を含み、各セルは、基地局（ｅＮＢ１〜ｅＮＢ３）を有し、
前記ソース基地局（ｅＮＢ１）は、前記ワイヤレス通信ネットワークの前記ソースセル（１００１）に位置するユーザ機器（ＵＥ）を担当し、セミパーシステントスケジューリング（ＳＰＳ）構成に従ってＳＰＳで前記ユーザ機器（ＵＥ）を構成するように構成され、
前記ソース基地局（ｅＮＢ１）は、前記ユーザ機器（ＵＥ）が前記ワイヤレス通信ネットワークの前記ソースセル（１００１）からターゲットセル（１００２）に移動するとき、前記ＳＰＳ構成を前記ターゲットセル（１００２）に関連付けられたターゲット基地局（ｅＮＢ２）に送信し、または前記ソース基地局が前記ソースセルおよび前記ターゲットセルを担当するためのものであるとき、ＳＰＳ制御シグナリングのための新しい識別子を前記ターゲットセルの前記ＵＥに送信するように構成される、基地局。
【請求項１１】
前記ソース基地局（ｅＮＢ１）が、前記ワイヤレス通信ネットワークの前記基地局（ｅＮＢ１〜ｅＮＢ３）を直接接続するインターフェースを介して、または前記ワイヤレス通信ネットワークのコアを介して前記ＳＰＳ構成を前記ターゲット基地局（ｅＮＢ２）に送信するように構成される、請求項１０に記載の基地局。
【請求項１２】
前記ソース基地局（ｅＮＢ１）が、前記ユーザ機器（ＵＥ）に対するＳＰＳ制御シグナリングのための識別子を前記ターゲット基地局（ｅＮＢ２）に送信するように構成される、請求項１０または１１に記載の基地局。
【請求項１３】
前記ソース基地局（ｅＮＢ１）が、前記ターゲット基地局（ｅＮＢ２）から前記ユーザ機器（ＵＳ）に対するＳＰＳ制御シグナリングのための識別子を要求し、前記ＳＰＳ構成の更新を生成し、かつハンドオーバが完了する前に前記更新されたＳＰＳ構成を前記ユーザ機器（ＵＥ）に送信するように構成される、請求項１０〜１２のいずれか一項に記載の基地局。
【請求項１４】
前記ソース基地局（ｅｎＢ１）が、次のＳＰＳパケットの時間を前記ターゲット基地局（ｅＮＢ２）にシグナリングするように構成される、請求項１０〜１３のいずれか一項に記載の基地局。
【請求項１５】
次のＳＰＳパケットの前記時間が、次のＳＰＳ間隔までの時間または絶対時間としてシグナリングされる、請求項１４に記載の基地局。
【請求項１６】
基地局であって、
前記基地局は、ワイヤレス通信ネットワークのターゲットセル（１００２）に関連付けられたターゲット基地局（ｅＮＢ２）であり、前記ワイヤレス通信ネットワークは、複数のセル（１００１〜１００３）を含み、各セルは、基地局（ｅＮＢ１〜ｅＮＢ３）を有し、
前記ターゲット基地局（ｅＮＢ２）は、前記ユーザ機器（ＵＥ）が前記ワイヤレス通信ネットワークのソースセル（１００１）から前記ターゲットセル（１００２）に移動するとき、前記ソースセル（１００１）に関連付けられ、セミパーシステントスケジューリング（ＳＰＳ）構成に従ってＳＰＳで構成されたユーザ機器（ＵＥ）を現在担当しているソース基地局（ｅＮＢ１）から前記ＳＰＳ構成を受信するように構成され、
前記ターゲット基地局（ｅＮＢ２）は、前記受信したＳＰＳ構成に従ってＳＰＳを使用して前記ターゲットセル（１００２）に位置する前記ユーザ機器（ＵＥ）を担当するように構成される、基地局。
【請求項１７】
前記ターゲット基地局（ｅＮＢ２）が、前記ユーザ機器（ＵＥ）のＳＰＳをアクティブ化するアクティブ化信号を前記ユーザ機器（ＵＥ）に送信するように構成される、請求項１６に記載の基地局。
【請求項１８】
前記ソースセル（１００１）で使用される前記ユーザ機器に対するＳＰＳ制御シグナリングのための識別子が前記ターゲットセル（１００２）で占有または使用されるとき、前記ソース基地局（ｅＮＢ１）が、前記ユーザ機器（ＵＥ）に対するＳＰＳ制御シグナリングのための前記識別子を更新するように構成される、請求項１０〜１７のいずれか一項に記載の基地局。
【請求項１９】
前記基地局（ｅＮＢ１〜ｅＮＢ３）が、前記ワイヤレス通信ネットワークの前記基地局（ｅＮＢ１〜ｅＮＢ３）を直接接続するインターフェースを介して、または前記ワイヤレス通信ネットワークのコアを介して前記ＳＰＳ構成と通信するように構成される、請求項１０〜１８のいずれか一項に記載の基地局。
【請求項２０】
前記基地局（ｅＮＢ１〜ｅＮＢ３）が、前記ユーザ機器（ＵＥ）のハンドオーバに応じて前記ＳＰＳ構成と通信するように構成され、前記ハンドオーバが、前記ネットワークの前記ワイヤレス通信ネットワークの前記コア（ＭＭＥ）によって、または前記ユーザ機器（ＵＥ）によって開始される、請求項１０〜１９のいずれか一項に記載の基地局。
【請求項２１】
前記基地局（ｅＮＢ１〜ｅＮＢ３）が、マクロ基地局またはスモールセル基地局である、請求項１０〜２０のいずれか一項に記載の基地局。
【請求項２２】
請求項１〜９のいずれか一項に記載のユーザ機器（ＵＥ）と、
請求項１０〜２１のいずれか一項に記載の複数の基地局（ｅＮＢ１〜ｅＮＢ３）と
を備える、ワイヤレス通信ネットワーク。
【請求項２３】
前記ワイヤレス通信ネットワークが、セルラネットワーク、ワイヤレスローカルエリアネットワークまたはワイヤレスセンサシステムを備える、請求項２２に記載のワイヤレス通信ネットワーク。
【請求項２４】
前記ユーザ機器（ＵＥ）が、移動端末、車両用デバイスまたはＩｏＴデバイスである、請求項２２または２３に記載のワイヤレス通信ネットワーク。
【請求項２５】
ＩＦＦＴ（逆高速フーリエ変換）ベースの信号を使用し、前記ＩＦＦＴベースの信号が、ＣＰを有するＯＦＤＭ、ＣＰを有するＤＦＴ−ｓ−ＯＦＤＭ、ＣＰを有さないＩＦＦＴベースの波形、ｆ−ＯＦＤＭ、ＦＢＭＣ、ＧＦＤＭまたはＵＦＭＣを含む、請求項２２〜２４のいずれか一項に記載のワイヤレス通信ネットワーク。
【請求項２６】
ワイヤレス通信ネットワークのソースセル（１００１）のソース基地局（ｅＮＢ１）によってユーザ機器（ＵＥ）を担当することであって、前記ワイヤレス通信ネットワークは、複数のセル（１００１〜１００３）を含み、各セルは、基地局（ｅＮＢ１〜ｅＮＢ３）を有し、前記ユーザ機器（ＵＥ）は、前記ソース基地局（ｅＮＢ１）によって提供されるセミパーシステントスケジューリング（ＳＰＳ）構成に従ってＳＰＳで構成されることと、
前記ユーザ機器（ＵＥ）が前記ワイヤレス通信ネットワークの前記ソースセル（１００１）からターゲットセル（１００２）、すなわち前記ターゲットセル（１００２）に移動するときに前記ユーザ機器（ＵＥ）のＳＰＳを維持することと
を含む、方法。
【請求項２７】
ワイヤレス通信ネットワークのソースセル（１００１）に関連付けられたソース基地局（ｅＮＢ１）によってユーザ機器（ＵＥ）を担当することであって、前記ワイヤレス通信ネットワークは、複数のセル（１００１〜１００３）を含み、各セルは、基地局（ｅＮＢ１〜ｅＮＢ３）を有し、前記ユーザ機器（ＵＥ）は、前記ワイヤレス通信ネットワークの前記ソースセル（１００１）に位置することと、
セミパーシステントスケジューリング（ＳＰＳ）構成に従ってＳＰＳで前記ユーザ機器（ＵＥ）を構成することと、
前記ユーザ機器（ＵＥ）が前記ワイヤレス通信ネットワークの前記ソースセル（１００１）から前記ターゲットセル（１００２）に移動するとき、前記ＳＰＳ構成を前記ソース基地局（ｅＮＢ１）からターゲットセル（１００２）に関連付けられたターゲット基地局（ｅＮＢ２）に送信するか、または前記ソース基地局が前記ソースセルおよび前記ターゲットセルを担当するためのものであるとき、ＳＰＳ制御シグナリングのための新しい識別子を前記ターゲットセルの前記ＵＥに送信することと
を含む、方法。
【請求項２８】
ワイヤレス通信ネットワークのターゲットセル（１００２）に関連付けられたターゲット基地局（ｅＮＢ２）でセミパーシステントスケジューリング（ＳＰＳ）構成を受信することであって、前記ワイヤレス通信ネットワークは、複数のセル（１００１〜１００３）を含み、各セルは、基地局（ｅＮＢ１〜ｅＮＢ３）を有し、前記ＳＰＳ構成は、ソースセル（１００１）に関連付けられ、前記ＳＰＳ構成に従ってＳＰＳで構成されたユーザ機器（ＵＥ）を現在担当しているソース基地局（ｅＮＢ１）から受信され、前記ＳＰＳ構成は、前記ワイヤレス通信ネットワークの前記ソースセル（１００１）から前記ターゲットセル（１００２）に移動する前記ユーザ機器（ＵＥ）に応じて受信されることと、
前記受信されたＳＰＳ構成に従ってＳＰＳを使用して前記ターゲット基地局（ｅＮＢ２）によって前記ターゲットセル（１００２）に位置する前記ユーザ機器（ＵＥ）を担当することと
を含む、方法。
【請求項２９】
コンピュータで実施されたときに請求項２６〜２８のいずれか一項に記載の方法を行う命令を記憶するコンピュータ可読媒体を含む、非一時的コンピュータプログラム製品。
【手続補正２】
【補正対象書類名】明細書
【補正対象項目名】００６３
【補正方法】変更
【補正の内容】
【００６３】
ここで、さらなる実施形態を説明する。
第１の実施形態は、ユーザ機器（ＵＥ）を提供し、ユーザ機器（ＵＥ）は、セミパーシステントスケジューリング（ＳＰＳ）構成に従ってＳＰＳで構成され、ユーザ機器（ＵＥ）は、無線信号を受信して処理するように構成され、無線信号は、制御メッセージ（ＤＣＩ）を含み、制御メッセージ（ＤＣＩ）は、ＳＰＳ構成のアクティブ化をシグナリングし、ＳＰＳ構成に割り当てられるリソースをシグナリングする。
第２の実施形態は、ユーザ機器（ＵＥ）を提供し、ユーザ機器（ＵＥ）は、複数のセミパーシステントスケジューリング（ＳＰＳ）構成に従ってＳＰＳで構成され、ユーザ機器（ＵＥ）は、無線信号を受信して処理するように構成され、無線信号は、制御メッセージ（ＤＣＩ）を含み、制御メッセージ（ＤＣＩ）は、複数のＳＰＳ構成のアクティブ化をシグナリングする。
第３の実施形態は、第２の実施形態のユーザ機器（ＵＥ）を提供し、制御メッセージ（ＤＣＩ）が、複数のＳＰＳ構成に割り当てられるリソースをさらにシグナリングする。
第４の実施形態は、第３の実施形態のユーザ機器（ＵＥ）を提供し、制御メッセージ（ＤＣＩ）が、複数のＳＰＳ構成に使用されるリソースのブロックを示す。
第５の実施形態は、第４の実施形態のユーザ機器（ＵＥ）を提供し、制御メッセージ（ＤＣＩ）が、ＳＰＳ構成の１つまたは複数のリソースをブロックのリソースに割り当てる。
第６の実施形態は、第５の実施形態のユーザ機器（ＵＥ）を提供し、ＳＰＳ構成に割り当てられないブロックのリソースが、別の状況ではスケジューリングされる。
第７の実施形態は、第１〜第６の実施形態のいずれかのユーザ機器（ＵＥ）を提供し、リソースのブロックが、データ信号ブロックの所定の数の連続的または非連続的なリソース要素を含み、データ信号ブロックが、時間ドメインのいくつかのシンボルと、周波数ドメインのいくつかのサブキャリアとを有し、１つのリソース要素が、１つのシンボルと、１つのサブキャリアとで構成される。
第８の実施形態は、第１〜第７の実施形態のいずれかのユーザ機器（ＵＥ）を提供し、制御メッセージ（ＤＣＩ）が、１つまたは複数のＳＰＳ構成をアクティブ化するため、および／または１つまたは複数のＳＰＳ構成のリソースを割り当てるための単一の制御メッセージ（ＤＣＩ）である。
第９の実施形態は、第１〜第８の実施形態のいずれかのユーザ機器（ＵＥ）を提供し、単一の制御メッセージ（ＤＣＩ）が、ダウンリンクＳＰＳ構成またはアップリンクＳＰＳ構成に使用される。
第１０の実施形態は、第１〜第９の実施形態のいずれかのユーザ機器（ＵＥ）を提供し、ユーザ機器（ＵＥ）が、セミパーシステントスケジューリング（ＳＰＳ）構成の１つまたは複数に従ってＳＰＳで構成され、ＳＰＳ構成のグループが、２つ以上のＳＰＳ構成を含み、制御メッセージ（ＤＣＩ）が、ＳＰＳ構成のグループのＳＰＳ構成をアドレス指定する。
第１１の実施形態は、ユーザ機器（ＵＥ）を提供し、ユーザ機器（ＵＥ）は、セミパーシステントスケジューリング（ＳＰＳ）構成の１つまたは複数のグループに従ってＳＰＳで構成され、ＳＰＳ構成のグループは、２つ以上のＳＰＳ構成を含み、ユーザ機器（ＵＥ）は、無線信号を受信して処理するように構成され、無線信号は、制御メッセージ（ＤＣＩ）を含み、制御メッセージ（ＤＣＩ）は、ＳＰＳ構成の１つまたは複数のグループのＳＰＳ構成をアドレス指定する。
第１２の実施形態は、第１１の実施形態のユーザ機器（ＵＥ）を提供し、さらなる制御メッセージが、受信され、さらなる制御メッセージが、ＳＰＳ構成をグループに／から追加／削除する。
第１３の実施形態は、基地局を提供し、基地局は、セミパーシステントスケジューリング（ＳＰＳ）構成に従ってＳＰＳでユーザ機器（ＵＥ）を構成するように構成され、基地局は、無線信号をユーザ機器（ＵＥ）に送信するように構成され、無線信号は、制御メッセージ（ＤＣＩ）を含み、制御メッセージ（ＤＣＩ）は、ＳＰＳ構成のアクティブ化をシグナリングし、ＳＰＳ構成に割り当てられるリソースをシグナリングする。
第１４の実施形態は、基地局を提供し、基地局は、複数のセミパーシステントスケジューリング（ＳＰＳ）構成に従ってＳＰＳでユーザ機器（ＵＥ）を構成するように構成され、基地局は、無線信号をユーザ機器（ＵＥ）に送信するように構成され、無線信号は、制御メッセージ（ＤＣＩ）を含み、制御メッセージ（ＤＣＩ）は、複数のＳＰＳ構成のアクティブ化をシグナリングする。
第１５の実施形態は、第１４の実施形態の基地局を提供し、制御メッセージ（ＤＣＩ）が、複数のＳＰＳ構成に割り当てられるリソースをさらにシグナリングする。
第１６の実施形態は、基地局を提供し、基地局は、セミパーシステントスケジューリング（ＳＰＳ）構成の１つまたは複数のグループに従ってＳＰＳでユーザ機器（ＵＥ）を構成するように構成され、ＳＰＳ構成のグループは、２つ以上のＳＰＳ構成を含み、基地局は、無線信号をユーザ機器（ＵＥ）に送信するように構成され、無線信号は、制御メッセージ（ＤＣＩ）を含み、制御メッセージ（ＤＣＩ）は、ＳＰＳ構成の１つまたは複数のグループのＳＰＳ構成をアドレス指定する。
第１７の実施形態は、セミパーシステントスケジューリング（ＳＰＳ）構成に従ってＳＰＳで基地局によって構成されたユーザ機器（ＵＥ）に対する制御メッセージを含み、制御メッセージ（ＤＣＩ）は、ＳＰＳ構成のアクティブ化をシグナリングし、ＳＰＳ構成に割り当てられるリソースをシグナリングする、データ信号を提供する。
第１８の実施形態は、複数のセミパーシステントスケジューリング（ＳＰＳ）構成に従ってＳＰＳで基地局によって構成されたユーザ機器（ＵＥ）に対する制御メッセージを含み、制御メッセージ（ＤＣＩ）は、複数のＳＰＳ構成のアクティブ化をシグナリングする、データ信号を提供する。
第１９の実施形態は、第１８の実施形態のデータ信号を提供し、制御メッセージ（ＤＣＩ）が、複数のＳＰＳ構成に割り当てられるリソースをさらにシグナリングする。
第２０の実施形態は、セミパーシステントスケジューリング（ＳＰＳ）構成の１つまたは複数のグループに従ってＳＰＳで基地局によって構成されたユーザ機器（ＵＥ）に対する制御メッセージを含み、ＳＰＳ構成のグループは、２つ以上のＳＰＳ構成を含み、制御メッセージ（ＤＣＩ）は、ＳＰＳ構成の１つまたは複数のグループのＳＰＳ構成をアドレス指定する、データ信号を提供する。
第２１の実施形態は、ユーザ機器（ＵＥ）によって、制御メッセージ（ＤＣＩ）を含む無線信号を受信して処理することを含み、ユーザ機器（ＵＥ）は、セミパーシステントスケジューリング（ＳＰＳ）構成に従ってＳＰＳで構成され、制御メッセージ（ＤＣＩ）は、ＳＰＳ構成のアクティブ化をシグナリングし、ＳＰＳ構成に割り当てられるリソースをシグナリングする、方法を提供する。
第２２の実施形態は、ユーザ機器（ＵＥ）によって、制御メッセージ（ＤＣＩ）を含む無線信号を受信して処理することを含み、ユーザ機器（ＵＥ）は、複数のセミパーシステントスケジューリング（ＳＰＳ）構成に従ってＳＰＳで構成され、制御メッセージ（ＤＣＩ）は、複数のＳＰＳ構成のアクティブ化をシグナリングする、方法を提供する。
第２３の実施形態は、第２２の実施形態の方法を提供し、制御メッセージ（ＤＣＩ）が、複数のＳＰＳ構成に割り当てられるリソースをさらにシグナリングする。
第２４の実施形態は、ユーザ機器（ＵＥ）によって、制御メッセージ（ＤＣＩ）を含む無線信号を受信して処理することを含み、ユーザ機器（ＵＥ）は、セミパーシステントスケジューリング（ＳＰＳ）構成の１つまたは複数のグループに従ってＳＰＳで構成され、ＳＰＳ構成のグループは、２つ以上のＳＰＳ構成を含み、制御メッセージ（ＤＣＩ）は、ＳＰＳ構成の１つまたは複数のグループのＳＰＳ構成をアドレス指定する、方法を提供する。
第２５の実施形態は、基地局によって、セミパーシステントスケジューリング（ＳＰＳ）構成に従ってＳＰＳでユーザ機器（ＵＥ）を構成することと、基地局によって、無線信号をユーザ機器（ＵＥ）に送信することとを含み、無線信号は、制御メッセージ（ＤＣＩ）を含み、制御メッセージ（ＤＣＩ）は、ＳＰＳ構成のアクティブ化をシグナリングし、ＳＰＳ構成に割り当てられるリソースをシグナリングする、方法を提供する。
第２６の実施形態は、基地局によって、複数のセミパーシステントスケジューリング（ＳＰＳ）構成に従ってＳＰＳでユーザ機器（ＵＥ）を構成することと、基地局によって、無線信号をユーザ機器（ＵＥ）に送信することとを含み、無線信号は、制御メッセージ（ＤＣＩ）を含み、制御メッセージ（ＤＣＩ）は、複数のＳＰＳ構成のアクティブ化をシグナリングする、方法を提供する。
第２７の実施形態は、第２６の実施形態の方法を提供し、制御メッセージ（ＤＣＩ）が、複数のＳＰＳ構成に割り当てられるリソースをさらにシグナリングする。
第２８の実施形態は、基地局によって、セミパーシステントスケジューリング（ＳＰＳ）構成の１つまたは複数のグループに従ってＳＰＳでユーザ機器（ＵＥ）を構成することであって、ＳＰＳ構成のグループは、２つ以上のＳＰＳ構成を含むことと、基地局によって、無線信号をユーザ機器（ＵＥ）に送信することとを含み、無線信号は、制御メッセージ（ＤＣＩ）を含み、制御メッセージ（ＤＣＩ）は、ＳＰＳ構成の１つまたは複数のグループのＳＰＳ構成をアドレス指定する、方法を提供する。
第２９の実施形態は、コンピュータで実施されたときに請求項第２１〜第２８の実施形態のいずれか一項に記載の方法を行う命令を記憶するコンピュータ可読媒体を含む、非一時的コンピュータプログラム製品を提供する。
上述の実施形態は、本発明の原理を説明するための例示にすぎない。本明細書に記載の構成および詳細の修正および変形は、当業者にとって明らかであるものと理解される。したがって、差し迫った特許請求の範囲だけによって制限され、本明細書の実施形態の記載および説明によって示される具体的な詳細によって制限されないことが意図される。
参考文献
［１］  Ｃ．  Ｊｏｈｎｓｏｎ：  Ｌｏｎｇ  Ｔｅｒｍ  Ｅｖｏｌｕｔｉｏｎ  ｉｎ  Ｂｕｌｌｅｔｓ，  ２ｎｄ  ｅｄｉｔｉｏｎ，  ２０１２，  ｐ．  ４６２
［２］  ３ＧＰＰ  ＴＳ  ３６．３２１  Ｖ１３．１．０  （２０１６−０３），  ｐ．  ４２ｆｆ
［３］  ３ＧＰＰ  ＴＳ  ３６．２１３  Ｖ１３．１．１  （２０１６−０３），  Ｓｅｃｔｉｏｎ  ９．２
［４］  ｈｔｔｐ：／／ｈｏｗｌｔｅｓｔｕｆｆｗｏｒｋｓ．ｂｌｏｇｓｐｏｔ．ｄｅ／２０１３／１０／ｓｅｍｉ−ｐｅｒｓｉｓｔｅｎｔ−ｓｃｈｅｄｕｌｉｎｇ．ｈｔｍｌ
［５］  ３ＧＰＰ  ＴＳ  ３６．３３１  Ｖ１３．１．０  （２０１６−０３），  ｐ．  ３５４
［６］  ｈｔｔｐ：／／ｌｔｅｗｏｒｌｄ．ｏｒｇ／ｂｌｏｇ／ｌｔｅ−ｈａｎｄｏｖｅｒｓ−ｉｎｔｒａ−ｅ−ｕｔｒａｎ−ｈａｎｄｏｖｅｒ
［７］  ３ＧＰＰ  ＴＳ  ３６．３３１  Ｖ１２．７．０
【国際調査報告】
2019533964.tif 000019
2019533964.tif 000020
2019533964.tif 000021
2019533964.tif 000022
2019533964.tif 000023